(57)【特許請求の範囲】
【請求項１】
端末が基地局と通信する方法において、該方法は、
前記基地局とデータのフレームに基づく信号を送受信するステップを有し、前記データのフレームは、
第１の個数の直交周波数分割多元接続（ＯＦＤＭＡ）シンボルを各々が有する複数の第１タイプのサブフレームと、
前記第１の個数と異なる第２の個数のＯＦＤＭＡシンボルを各々が有する複数の第２タイプのサブフレームとを有し、
前記データのフレームは、第１のサイクリック・プレフィックス（ＣＰ）と第２のＣＰを含む２つの異なるＣＰの少なくとも１つを支持するよう構成され、
前記第１のＣＰが支持されるとき、前記ＯＦＤＭＡシンボルの第１の個数は７シンボルであり、前記ＯＦＤＭＡシンボルの第２の個数は６シンボルであり、
前記第２のＣＰが支持されるとき、前記ＯＦＤＭＡシンボルの第１の個数は５シンボルであり、前記ＯＦＤＭＡシンボルの第２の個数は６シンボルであり、
前記送受信するステップは、前記フレームを他のフレームと時間分割デュプレックスするステップを含み、
前記第１のＣＰが支持されるとき、前記フレームは、２個の第１タイプのサブフレーム及び６個の第２タイプのサブフレームを含み、
前記第２のＣＰが支持されるとき、前記フレームは、１個の第１タイプのサブフレーム及び７個の第２タイプのサブフレームを含み、
前記第１のＣＰが支持されるとき、前記６個の第２タイプのサブフレームの４番目のサブフレームの後にアイドルシンボルが続き、
前記第２のＣＰが支持されるとき、前記１個の第１タイプのサブフレームの後にアイドルシンボルが続き、
前記第１のＣＰが支持されるとき、前記２個の第１タイプのサブフレームの１個の後に前記６個の第２タイプのサブフレームの少なくとも５個が続き、その後に前記２個の第１タイプのサブフレームのその他の１個が続き、
前記第２のＣＰが支持されるとき、４個の第２タイプのサブフレームの後に前記１個の第１タイプのサブフレームが続き、その後に３個の第２タイプのサブフレームが続き、
前記第１のＣＰが支持されるとき、前記２個の第１タイプのサブフレームの１個と前記６個の第２タイプのサブフレームの４個が複数のダウンリンクサブフレームにグループ化され、その後に、複数のアップリンクサブフレームが続き、該複数のアップリンクサブフレームに、前記２個の第１タイプのサブフレームのその他の１個と前記６個の第２タイプのサブフレームのその他の２個がグループ化され、
前記第２のＣＰが支持されるとき、前記１個の第１タイプのサブフレームと前記７個の第２タイプのサブフレームの４個が複数のダウンリンクサブフレームにグループ化され、前記７個の第２タイプのサブフレームの３個が複数のアップリンクサブフレームにグループ化され、
前記第１のＣＰを支持するフレームのダウンリンク区間は、前記第２のＣＰを支持するフレームのアップリンク区間と重ならず、
前記第２のＣＰを支持するフレームのダウンリンク区間は、前記第１のＣＰを支持するフレームのアップリンク区間と重ならない、方法。
【請求項２】
前記複数の第１タイプのサブフレームの個数及び前記複数の第２タイプのサブフレームの個数は、前記基地局から受信される指示に基づいて決定される、請求項１に記載の方法。
【請求項３】
基地局と通信するよう構成された端末であって、
ディスプレー部、
送受信機、及び
前記ディスプレー部と送受信機とに動作可能に連結されて、前記基地局とデータのフレームに基づく信号を送受信するよう構成されたプロセッサを有し、前記データのフレームは、
第１の個数のＯＦＤＭＡシンボルを各々が有する複数の第１タイプのサブフレームと、
前記第１の個数と異なる第２の個数のＯＦＤＭＡシンボルを各々が有する複数の第２タイプのサブフレームとを有し、
前記データのフレームは、第１のサイクリック・プレフィックス（ＣＰ）と第２のＣＰを含む２つの異なるＣＰの少なくとも１つを支持するよう構成され、
前記第１のＣＰが支持されるとき、前記ＯＦＤＭＡシンボルの第１の個数は７シンボルであり、前記ＯＦＤＭＡシンボルの第２の個数は６シンボルであり、
前記第２のＣＰが支持されるとき、前記ＯＦＤＭＡシンボルの第１の個数は５シンボルであり、前記ＯＦＤＭＡシンボルの第２の個数は６シンボルであり、
前記フレームは、時間分割デュプレックスされたフレームであり、
前記第１のＣＰが支持されるとき、前記フレームは、２個の第１タイプのサブフレーム及び６個の第２タイプのサブフレームを含み、
前記第２のＣＰが支持されるとき、前記フレームは、１個の第１タイプのサブフレーム及び７個の第２タイプのサブフレームを含み、
前記第１のＣＰが支持されるとき、前記６個の第２タイプのサブフレームの４番目のサブフレームの後にアイドルシンボルが続き、
前記第２のＣＰが支持されるとき、前記１個の第１タイプのサブフレームの後にアイドルシンボルが続き、
前記第１のＣＰが支持されるとき、前記２個の第１タイプのサブフレームの１個の後に前記６個の第２タイプのサブフレームの少なくとも５個が続き、その後に前記２個の第１タイプのサブフレームのその他の１個が続き、
前記第２のＣＰが支持されるとき、４個の第２タイプのサブフレームの後に前記１個の第１タイプのサブフレームが続き、その後に３個の第２タイプのサブフレームが続き、
前記第１のＣＰが支持されるとき、前記２個の第１タイプのサブフレームの１個と前記６個の第２タイプのサブフレームの４個が複数のダウンリンクサブフレームにグループ化され、その後に、複数のアップリンクサブフレームが続き、該複数のアップリンクサブフレームに、前記２個の第１タイプのサブフレームのその他の１個と前記６個の第２タイプのサブフレームのその他の２個がグループ化され、
前記第２のＣＰが支持されるとき、前記１個の第１タイプのサブフレームと前記７個の第２タイプのサブフレームの４個が複数のダウンリンクサブフレームにグループ化され、前記７個の第２タイプのサブフレームの３個が複数のアップリンクサブフレームにグループ化され、
前記第１のＣＰを支持するフレームのダウンリンク区間は、前記第２のＣＰを支持するフレームのアップリンク区間と重ならず、
前記第２のＣＰを支持するフレームのダウンリンク区間は、前記第１のＣＰを支持するフレームのアップリンク区間と重ならない、端末。
【発明の詳細な説明】
【技術分野】
【０００１】
本発明は、無線通信に関し、より詳しくは、無線通信システムにおけるフレームを用いた通信方法に関する。
【背景技術】
【０００２】
ＩＥＥＥ(Institute of Electrical and Electronics Engineers)８０２.１６標準は、広帯域無線接続(Broadband Wireless Access)をサポートするための技術及びプロトコルを提供する。１９９９年から標準化が進められ、２００１年にＩＥＥＥ８０２.１６-２００１が承認された。ＩＥＥＥ８０２.１６-２００１は、「ＷｉｒｅｌｅｓｓＭＡＮ-ＳＣ」という単一搬送波(Single Carrier)の物理層に基づく。２００３年には、ＩＥＥＥ８０２.１６ａ標準が承認された。ＩＥＥＥ８０２.１６ａ標準では、「ＷｉｒｅｌｅｓｓＭＡＮ-ＳＣ」に加えて、物理層に「ＷｉｒｅｌｅｓｓＭＡＮ-ＯＦＤＭ」及び「ＷｉｒｅｌｅｓｓＭＡＮ-ＯＦＤＭＡ」がさらに追加された。ＩＥＥＥ８０２.１６ａ標準が完了された後、改正された(revised)ＩＥＥＥ８０２.１６-２００４標準が２００４年承認された。ＩＥＥＥ８０２.１６-２００４標準の欠陥(bug)とエラー(error)を修正するために「ｃｏｒｒｉｇｅｎｄｕｍ」という形式でＩＥＥＥ８０２.１６-２００４/Ｃｏｒ１(以下、ＩＥＥＥ８０２.１６ｅ)が２００５年に完了された。
【０００３】
現在、ＩＥＥＥ８０２.１６ｅに基づく新しい技術標準規格であるＩＥＥＥ８０２.１６ｍに対する標準化が進行されている。新しく開発される技術標準規格であるＩＥＥＥ８０２.１６ｍは、以前に設計されたＩＥＥＥ８０２.１６ｅを共にサポートできるように設計されなければならない。即ち、新しく設計されるシステムの技術(ＩＥＥＥ８０２.１６ｍ)は、既存技術(ＩＥＥＥ８０２.１６ｅ)を効率的に包括することにより、動作するように構成されなければならない。これを下位互換性(Backward Compatibility)という。ＩＥＥＥ８０２.１６ｍの設計時に考慮される下位互換性には、次のようなことがある。
【０００４】
第一、新しい技術の端末は、既存技術の端末と同一性能で動作すべきである。以下、新しい技術を採用するシステム(端末や基地局)を新しいシステムといい、既存技術を採用するシステムをレガシー(legacy)システムという。第二、新しいシステム及びレガシーシステムは、同一ＲＦ(Radio Frequency)サブキャリア及び同じ帯域幅で動作すべきである。第三、新しい基地局は、新しい端末及びレガシー端末が同一ＲＦサブキャリアで共存する場合をサポートすべきであり、全体システムの性能は、新しい端末の比率により向上されるべきである。第四、新しい基地局は、レガシー端末のハンドオーバー(Handover)及び新しい端末のハンドオーバーをレガシー基地局間のハンドオーバー性能に準ずるようにサポートすべきである。第五、新しい基地局は、新しい端末とレガシー端末の両方を、レガシー基地局によりレガシー端末がサポートされるものと同一レベルでサポートするべきである。
【０００５】
新しい基地局は、自分がサポートできる帯域幅内でレガシー端末または新しい端末に対して無線リソースをスケジューリングする。無線リソースのスケジューリングは、時間領域で複数のＯＦＤＭシンボル及び周波数領域で複数のサブチャネルからなる論理的フレームで実行されることができる。従って、ＩＥＥＥ８０２.１６ｍシステムでＩＥＥＥ８０２.１６ｅシステムに対する下位互換性を満たすことができるフレームの構造に対する研究が進行されている。
【０００６】
特に、相違する サイクリック・プレフィックス(cyclic prefix:ＣＰ)の長さを有する時間分割デュプレックス(time division duplexing:ＴＤＤ)方式にともなうフレーム構造が隣接セルに共存する場合、ダウンリンクとアップリンクとの境界点が重なってお互いに干渉がおきる可能性がある。従って、隣接セルに共存するＴＤＤフレーム構造間に干渉がおきないようにＴＤＤフレーム構造を設計する必要がある。
【０００７】
また、従来ＩＥＥＥ８０２.１６標準ベースのシステムプロファイル(profile)は、ＴＤＤ(time division duplexing)方式のみをサポートするが、アップリンク送信及びダウンリンク送信が相違する周波数帯域で同時に行われる周波数分割デュプレックス(Frequency Division Duplexing:ＦＤＤ)方式もサポートしようとする試みがある。従って、システム設計の便利性及びハードウェアの共有のために、ＴＤＤフレーム構造と共通性を有するＦＤＤフレーム構造を設計する必要がある。
【発明の概要】
【発明が解決しようとする課題】
【０００８】
本発明が解決しようとする技術的課題は、アップリンクとダウンリンク送信間干渉を緩和させる多様な長さのＣＰを有するＴＤＤフレームを提供することである。
【０００９】
本発明が解決しようとする他の技術的課題は、前記ＴＤＤフレームと共通性を有するＦＤＤフレームの送信方法を提供することである。
【課題を解決するための手段】
【００１０】
本発明の一態様において、端末が基地局と通信する方法が提供される。前記方法は、基地局とデータのフレームを交換することを含み、前記データのフレームは、ａ)各々が第１の個数の直交周波数分割多元接続(orthogonal frequency division multiple access:ＯＦＤＭＡ)シンボルを含む複数の第１のサブフレームと、ｂ)各々が前記第１の個数と異なる第２の個数のＯＦＤＭＡシンボルを含む複数の第２のサブフレームと、を含む。
【００１１】
前記基地局とデータのフレームを交換する段階は、前記基地局に前記データのフレームを送信すること、及び前記基地局から前記データのフレームを受信することのうち少なくとも一つを含む。
【００１２】
前記基地局とデータのフレームを交換する段階は、5、10及び20 Mhzの１つの帯域幅を有するチャネルを介して、フレームを交換することを含む。
【００１３】
前記基地局とデータのフレームを交換する段階は、移動通信端末内のデータバッファから受信したデータからフレームを構成することを含む。
【００１４】
前記基地局とデータのフレームを交換する段階は、移動通信端末内のデータバッファに格納されるデータにフレームを分解することを含む。
【００１５】
前記複数の第１のサブフレームの個数及び前記複数の第２のサブフレームの個数は、予め指定される、或いは前記基地局から受信される指示に基づいて決定される。
【００１６】
前記フレームは、有効シンボル時間(useful symbol time)Ｔｕの１/１６のＣＰ(cyclic prefix)長を有する。
【００１７】
前記ＯＦＤＭＡシンボルの第１の個数は７シンボルであり、前記ＯＦＤＭＡシンボルの第２の個数は６シンボルである。
【００１８】
前記交換する段階は、前記フレームを他のフレームとＴＤＤ(time division duplexing)する。
【００１９】
前記複数の第１のサブフレームは、２個の第１のサブフレームを含み、前記複数の第２のサブフレームは、６個の第２のサブフレームを含む。
【００２０】
前記６個の第２のサブフレームのうち一つは、アイドルシンボル(idle symbol)を含む。
【００２１】
前記フレームは、一つの第１のサブフレームに後続する前記６個の第２のサブフレームと、前記６個の第２のサブフレームに後続する他の第２のサブフレームと、を含む。
【００２２】
前記６個の第２のサブフレームのうち、４番目の第２のサブフレームは、アイドルシンボルを含む。
【００２３】
前記アイドルシンボルは、前記４番目の第２のサブフレームの６番目のシンボルである。
【００２４】
前記フレームは、複数のダウンリンクサブフレーム及び後続する複数のアップリンクサブフレームを含む。
【００２５】
前記複数のダウンリンクサブフレームは、前記複数の第１のサブフレームのうち少なくとも一つと、前記複数の第２のサブフレームのうち少なくとも一つと、を含み、前記複数のアップリンクサブフレームは、前記複数の第１のサブフレームのうち少なくとも残りの一つと、前記複数の第２のサブフレームのうち少なくとも残りの一つと、を含む。
【００２６】
前記複数のダウンリンクサブフレームと前記複数のアップリンクサブフレームとの比率は、４:４、６:２、７:１及び５:３のうち一つである。
【００２７】
前記フレームは、前記複数のダウンリンクサブフレームと前記複数のアップリンクサブフレームとの間に送信／受信遷移間隔(transmit/receive transition gap:ＴＴＧ)を含む。
【００２８】
前記交換する段階は、前記フレームを他のフレームとＦＤＤ(frequency division duplexing)する。
【００２９】
前記複数の第１のサブフレームは、３個の第１のサブフレームを含み、前記複数の第２のサブフレームは、５個の第２のサブフレームを含む。
【００３０】
前記フレームは、１つの第１のサブフレーム、３個の第２のサブフレーム、１つの２番目の第１のサブフレーム、２個の第２のサブフレーム、及び１つの３番目の第１のサブフレームの順に含む。
【００３１】
本発明の他の態様において、基地局と通信する端末が提供される。前記端末は、ディスプレー部、送受信機、及び前記ディスプレー部及び送受信機と連結されて、基地局とデータのフレームを交換するプロセッサを含み、前記データのフレームは、ａ)各々が第１の個数のＯＦＤＭＡ(orthogonal frequency division multiple access)シンボルを含む複数の第１のサブフレームと、ｂ)各々が前記第１の個数と異なる第２の個数のＯＦＤＭＡシンボルを含む複数の第２のサブフレームと、を含む。
【図面の簡単な説明】
【００３２】
【図１】無線通信システムを示すブロック図である。
【図２】フレーム構造の一例を示す。
【図３】フレーム階層構造の一例を示す。
【図４】ＤＬ/ＵＬ比率が４:４の場合、ＣＰの長さが１/８Ｔｕである既存ＴＤＤフレーム構造の一例を示す。
【図５】ＤＬ/ＵＬ比率が５:３の場合、ＣＰの長さが１/８Ｔｕである既存ＴＤＤフレーム構造の一例を示す。
【図６】ＤＬ/ＵＬ比率が６:２の場合、ＣＰの長さが１/８Ｔｕである既存ＴＤＤフレーム構造の一例を示す。
【図７】ＤＬ/ＵＬ比率が７:１の場合、ＣＰの長さが１/８Ｔｕである既存ＴＤＤフレーム構造の一例を示す。
【図８】ＣＰの長さが１/８Ｔｕである既存ＦＤＤフレーム構造の一例を示す。
【図９】ＤＬ/ＵＬ比率が４:４の場合、本発明の一実施例に応じて１/８ＴｕのＣＰの長さに対比してＣＰの長さが１/４Ｔｕ、１/１６Ｔｕまたは１/３２ＴｕであるＴＤＤフレーム構造を示す図である。
【図１０】ＤＬ/ＵＬ比率が５:３の場合、本発明の一実施例に応じて１/８ＴｕのＣＰの長さに対比してＣＰの長さが１/４Ｔｕ、１/１６Ｔｕまたは１/３２ＴｕであるＴＤＤフレーム構造を示す図である。
【図１１】ＤＬ/ＵＬ比率が６:２の場合、本発明の一実施例に応じて１/８ＴｕのＣＰの長さに対比してＣＰの長さが１/４Ｔｕ、１/１６Ｔｕまたは１/３２ＴｕであるＴＤＤフレーム構造を示す図である。
【図１２】ＤＬ/ＵＬ比率が７:１の場合、本発明の一実施例に応じて１/８ＴｕのＣＰの長さに対比してＣＰの長さが１/４Ｔｕ、１/１６Ｔｕまたは１/３２ＴｕであるＴＤＤフレーム構造を示す図である。
【図１３】本発明の一実施例に応じて、ＣＰの長さが１/４ＴｕであるＴＤＤフレーム構造及び前記ＴＤＤフレーム構造と共通性を有するＦＤＤフレーム構造を示す図である。
【図１４】本発明の一実施例に応じて、ＣＰの長さが１/４Ｔｕであり、ＳＦＴ-２サブフレームで構成された基本サブフレームで構成されたＴＤＤフレームと、前記ＴＤＤフレームと共通性を有するＦＤＤフレームと、を示す図である。
【図１５】本発明の一実施例に応じてＣＰの長さが１/１６ＴｕであるＴＤＤフレーム構造及び前記ＴＤＤフレーム構造と共通性を有するＦＤＤフレーム構造を示す図である。
【図１６】本発明の一実施例に応じてＣＰの長さが１/３２ＴｕであるＴＤＤフレーム構造及び前記ＴＤＤフレーム構造と共通性を有するＦＤＤフレーム構造を示す図である。
【図１７】無線通信装置を示すブロック図である。
【発明を実施するための形態】
【００３３】
図１は、無線通信システムを示すブロック図である。無線通信システムは、音声、パケットデータなどのような多様な通信サービスを提供するために広く配置される。
【００３４】
図１を参照すると、無線通信システムは、ユーザ端末(１０、User Equipment:ＵＥ)及び基地局(２０、Base Station:ＢＳ)を含む。端末(１０)は、固定される、或いは移動性を有することができて、移動局(Mobile Station:ＭＳ)、ユーザターミナル(User Terminal:ＵＴ)、加入者局(Subscriber Station:ＳＳ)、無線機器(Wireless Device)等、他の用語で呼ばれることができる。基地局(２０)は、一般的に端末(１０)と通信する固定局(fixed station)をいい、ノードＢ(NodeB)、ＢＴＳ(Base Transceiver System)、アクセスポイント(Access Point)等、他の用語で呼ばれることができる。一つの基地局(２０)には一つ以上のセルが存在することができる。
【００３５】
以下、ダウンリンク(Downlink、DL)は、基地局(２０)から端末(１０)への通信を意味して、アップリンク(Uplink、UL)は、端末(１０)から基地局(２０)への通信を意味する。ダウンリンクにおいて、送信機は基地局(２０)の一部分であり、受信機は端末(１０)の一部分である。アップリンクにおいて、送信機は端末(１０)の一部分であり、受信機は基地局(２０)の一部分である。
【００３６】
無線通信システムは、ＯＦＤＭ(Orthogonal Frequency Division Multiplexing)/ＯＦＤＭＡ(Orthogonal frequency division multiple access)ベースのシステムであることができる。ＯＦＤＭは、複数の直交サブキャリアを用いる。ＯＦＤＭは、逆高速フーリエ変換(Inverse Fast Fourier Transform:ＩＦＦＴ)と高速フーリエ変換(Fast Fourier Transform:ＦＦＴ)との間の直交性特性を用いる。送信機におけるデータはＩＦＦＴを実行して送信する。受信機で受信信号に対してＦＦＴを実行して元データを復元する。送信機は、多重サブキャリアを結合するためにＩＦＦＴを使用して、多重サブキャリアを分離するために受信機は対応するＦＦＴを使用する。
【００３７】
図２は、フレーム構造の一例を示す。フレームは、物理的仕様によって使われる固定された時間の間のデータシーケンスである。これはＩＥＥＥ標準８０２.１６-２００４「Ｐａｒｔ １６：Ａｉｒ Ｉｎｔｅｒｆａｃｅ ｆｏｒ Ｆｉｘｅｄ Ｂｒｏａｄｂａｎｄ Ｗｉｒｅｌｅｓｓ Ａｃｃｅｓｓ Ｓｙｓｔｅｍｓ」の８.４.４.２節を参照することができる。
【００３８】
図２を参照すると、フレームは、ダウンリンク(DL)フレーム及びアップリンク(UL)フレームを含む。時間分割デュプレックス(time division duplex:ＴＤＤ)方式において、アップリンク及びダウンリンク送信は、同一周波数帯域を共有するが、異なる時間ポイントで行われる。ダウンリンクフレームは、アップリンクフレームより時間的に前である。ダウンリンクフレームは、プリアンブル(Preamble)、ＦＣＨ(Frame Control Header)、ＤＬ(Downlink)-ＭＡＰ、ＵＬ(Uplink)-ＭＡＰ、バースト領域の順序で始まる。アップリンクフレーム及びダウンリンクフレームを区分するための保護時間(guard time)がフレームの中間部分(ダウンリンクフレームとアップリンクフレームとの間)と最後の部分(アップリンクフレームの後)に挿入される。ＴＴＧ(transmit/receive transition gap)は、ダウンリンクバーストと後続する(subsequent)アップリンクバーストとの間のギャップである。ＲＴＧ(receive/transmit transition gap)は、アップリンクバーストと後続するダウンリンクバーストとの間のギャップである。
【００３９】
プリアンブルは、基地局と端末との間の初期同期、セル探索、周波数オフセット及びチャネル推定に使われる。ＦＣＨは、ＤＬ-ＭＡＰメッセージの長さ及びＤＬ-ＭＡＰのコーディング方式(coding scheme)情報を含む。
【００４０】
ＤＬ-ＭＡＰは、ＤＬ-ＭＡＰメッセージが送信される領域である。ＤＬ-ＭＡＰメッセージは、ダウンリンクチャネルの接続を定義する。ＤＬ-ＭＡＰメッセージは、ダウンリンクチャネル記述子(Downlink Channel Descriptor:ＤＣＤ)の構成変化カウント及び基地局識別子(identifier:ＩＤ)を含む。ＤＣＤは、現在マップに適用されるダウンリンクバーストプロファイル(Downlink Burst Profile)を記述する。ダウンリンクバーストプロファイルは、ダウンリンク物理チャネルの特性をいい、ＤＣＤは、ＤＣＤメッセージを介して周期的に基地局によって送信される。
【００４１】
ＵＬ-ＭＡＰは、ＵＬ-ＭＡＰメッセージが送信される領域である。ＵＬ-ＭＡＰメッセージは、アップリンクチャネルの接続を定義する。ＵＬ-ＭＡＰメッセージは、アップリンクチャネル記述子(Uplink Channel Descriptor:ＵＣＤ)の構成変化カウント、ＵＬ-ＭＡＰによって定義されるアップリンク割当の有効開始時刻を含む。ＵＣＤは、アップリンクバーストプロファイル(Uplink Burst Profile)を記述する。アップリンクバーストプロファイルは、アップリンク物理チャネルの特性をいい、ＵＣＤは、ＵＣＤメッセージを介して周期的に基地局によって送信される。
【００４２】
図３は、フレーム階層構造の一例を示す。
【００４３】
図３を参照すると、各スーパーフレーム(Superframe)は、同じ大きさを有する４個の無線フレーム(Radio frame、以下、フレーム)に分かれる。スーパーフレームは、スーパーフレームヘッダ(Superframe Header)を含むことができる。スーパーフレームヘッダは、スーパーフレームを構成する複数のフレームのうち最初のフレームに割り当てられることができる。スーパーフレームヘッダには共通制御チャネル(Common Control Channel)が割り当てられることができる。共通制御チャネルは、スーパーフレームを構成するフレームに対する情報またはシステム情報のように全ての端末が共通的に活用できる制御情報を送信するために使われる。システム情報は、端末が基地局と通信するために知っていなければならない必須情報であり、基地局は、周期的にシステム情報を送信する。システム情報は、２０〜４０ｍｓ毎に周期的に送信されることができ、システム情報の送信周期を反映してスーパーフレームの大きさを定めることができる。図３において、各スーパーフレームの大きさは２０ｍｓであり、各フレームの大きさは５ｍｓであると例示しているが、これに限定されることではない。
【００４４】
一つのフレームは、８個のサブフレーム(Subframe)で構成される。一つのサブフレームは、アップリンクまたはダウンリンクの送信のために割り当てられることができる。ダウンリンク送信のための各サブフレームは、リソース割当のための信号を含むことができる。サブフレームは、例えば、６個のＯＦＤＭシンボルを含むことができる。これは例示に過ぎず、制限ではない。
【００４５】
以下、レガシー(legacy)システムに対する下位互換性を満たすＴＤＤフレーム構造及びＦＤＤフレーム構造に対して説明する。ここで、ＴＤＤ(time division duplexing)フレームとは、全体周波数帯域をアップリンクまたはダウンリンクに使用し、時間領域でアップリンク及びダウンリンクを区分するフレームをいう。ＦＤＤ(Frequency Division Duplexing)フレームとは、アップリンク送信及びダウンリンク送信が相違する周波数帯域を占めて、同時に行われることをいう。レガシーシステムに対する下位互換性を満たすフレームを二重フレーム(dual frame)という。 二重フレームは、レガシーシステム(legacy system)をサポートするリソース領域及び新しい/発展したシステム(new/evolved system)をサポートするリソース領域を含む。レガシーシステムは、ＩＥＥＥ８０２.１６ｅシステムを意味して、新しいシステムは、ＩＥＥＥ８０２.１６ｍを意味する。前記図２で説明したＩＥＥＥ８０２.１６ｅのフレーム構造で使われる用語は、ＩＥＥＥ８０２.１６ｍのフレーム構造で同一に定義されて使われることができ、一部変更されて定義されてもよい。
【００４６】
下記の表１は、フレームパラメータを示す。
【００４７】
【表１】
0005451642.tif 000002
【００４８】
レガシーシステム（即ち、ＩＥＥＥ８０２.１６ｅシステム）のフレームに対する下位互換性を満たすために、新しいシステムのパラメータ（例えば、送信帯域幅(Transmission Bandwidth)、サンプリング(Sampling)周波数、ＦＦＴの大きさ、サブキャリア間隔(Subcarrier Spacing)など）は、ＩＥＥＥ８０２.１６ｅのフレームパラメータに従うことができる。ＩＥＥＥ８０２.１６ｅをサポートする従来のレガシーシステムモードにおいて、ＣＰの長さは１/８有効シンボル時間（Ｔｕ）に設定することができ、一つのフレームは４８個のＯＦＤＭシンボルを含むことができる。レガシーシステムをサポートしない従来のレガシーサポート不可モード(Legacy Support Disabled Mode)において、新しいＣＰの長さは１/４Ｔｕ、１/１６Ｔｕまたは１/３２Ｔｕに設定することができ、一つのフレームは、新たなＣＰ長に対し、それぞれ４３個、５１個または５３個のＯＦＤＭシンボルを含むことができる。例えば、一つのサブフレームが６個のＯＦＤＭシンボルからなる時、ＣＰの長さが１/４Ｔｕであるフレームは、７個のサブフレームと１個の残余ＯＦＤＭシンボル、ＣＰの長さが１/１６Ｔｕであるフレームは、８個のサブフレームと３個の残余ＯＦＤＭシンボル、ＣＰの長さが１/３２Ｔｕであるフレームは、８個のサブフレームと５個の残余ＯＦＤＭシンボルからなることができる。
【００４９】
ここで、ＣＰは、最終の有効シンボル周期(Useful Symbol Period)Ｔｇのコピーであり、有効シンボル時間(Useful symbol time: Tu)に対する割合で表すことができる。
【００５０】
下記の表２は、ＩＥＥＥ８０２.１６ｅ標準のＴＤＤ構造におけるＴＴＧ及びＲＴＧの長さを示す。以下、ＴＴＧは、スイッチングポイントまたはアイドル(Idle)フレームなどの用語で表現されることができる。これは例示に過ぎず、制限ではない。新しいシステムのスイッチングポイントは、ＩＥＥＥ８０２.１６ｅ標準より長くてもよく、短くてもよい。
【００５１】
【表２】
0005451642.tif 000003
【００５２】
図４は、ダウンリンクとアップリンク(ＤＬ/ＵＬ)との比率が４:４の場合、図５は、ＤＬ/ＵＬ比率が５:３の場合、図６は、ＤＬ/ＵＬ比率が６:２の場合、図７は、ＤＬ/ＵＬ比率が７:１の場合、ＣＰの長さが１/８ＴｕであるＴＤＤフレーム構造の一例を示す。
【００５３】
図４乃至図７を参照すると、下位互換性を満たす新しいＴＤＤフレームは、既存ＴＤＤフレーム構造、前記表１及び前記表２の値に基づく。即ち、新しいＴＤＤフレームは、５ｍｓの長さであり、ＣＰの長さは１/８Ｔｕであり、１０ＭＨｚの帯域幅を有し、４８個のＯＦＤＭシンボルを含む。また、ＩＥＥＥ８０２.１６ｅ標準に応じてプリアンブル、ＦＣＨ、ＭＡＰのような基本制御情報が定義されることができる。前記表２のようなＴＴＧ及びＲＴＧの大きさを有する。
【００５４】
図４乃至図７において、一つのＴＤＤフレームは８個のサブフレームからなる。ここで、サブフレームは、データの割当とスケジューリングの基本単位であり、一般的に６個のＯＦＤＭシンボルからなる。これはＭＡＣとＰＨＹの符号化と変調を介して割り当てられるデータの大きさと無線チャネルの特性を考慮する時、時間軸への帯域幅とパイロット割当パターンを考慮して定められた値である。一つのサブフレームを６個のＯＦＤＭシンボルで構成する場合、ＤＬ/ＵＬ比率を効率的に設定することができ、ＵＬ区間のＯＦＤＭシンボル個数を二重フレーム(dual frame)で３の倍数に合わせることができ、データの遅延性能を向上させることができる。然しながら、一つのサブフレームを構成するＯＦＤＭシンボルの数は、これに限定されることではない。
【００５５】
ＤＬ領域とＵＬ領域との間にはＴＴＧ(Transmit/receive transition gap)が位置して、ＵＬ領域と後続するフレームとの間にはＲＴＧ(Receive/transmit transition gap)が位置する。ＴＴＧまたはＲＴＧにはシンボル間干渉を防止するためにＣＰの大きさに応じてアイドル時間(Idle Time)が含まれることができる。
【００５６】
具体的に、図４を参照すると、フレームの開始地点から１/８ＴｕのＣＰの長さを有する２３個のＯＦＤＭシンボルを含む２３６４.８６μｓ地点まではＤＬ区間に設定されて、２３６４.８６μｓ地点から表２のＴＴＧ区間及びアイドル時間の一部に該当する１０７.４６μｓ区間を含む２４７２.３２μｓ地点まではＴＴＧ区間に設定されて、２４７２.３２μｓ地点から１/８ＴｕのＣＰの長さを有する２４個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。
【００５７】
図５を参照すると、フレームの開始地点から１/８ＴｕのＣＰの長さを有する２９個のＯＦＤＭシンボルを含む２９８１.７８μｓ地点まではＤＬ区間に設定されて、２９８１.７８μｓ地点から表２のＴＴＧ区間及びアイドル時間の一部に該当する１０７.４６μｓ区間を含む３０８９.２４μｓ地点まではＴＴＧ区間に設定されて、３０８９.２４μｓ地点から１/８ＴｕのＣＰの長さを有する１８個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。
【００５８】
図６を参照すると、フレームの開始地点から１/８ＴｕのＣＰの長さを有する３５個のＯＦＤＭシンボルを含む３５９８.７μｓ地点まではＤＬ区間に設定されて、３５９８.７μｓ地点から表２のＴＴＧ区間及びアイドル時間の一部に該当する１０７.４６μｓ区間を含む３７０６.１６μｓ地点まではＴＴＧ区間に設定されて、３７０６.１６μｓ地点から１/８ＴｕのＣＰの長さを有する１２個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。
【００５９】
図７を参照すると、フレームの開始地点から１/８ＴｕのＣＰの長さを有する４１個のＯＦＤＭシンボルを含む４２１５.６２μｓ地点まではＤＬ区間に設定されて、４２１５.６２μｓ地点から表２のＴＴＧ区間及びアイドル時間の一部に該当する１０７.４６μｓ区間を含む４３２３.０８μｓ地点まではＴＴＧ区間に設定されて、４３２３.０８μｓ地点から１/８ＴｕのＣＰの長さを有する６個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。
【００６０】
図４乃至図７において、ＲＴＧは６０.０μｓに設定され、ＴＴＧは、アイドル時間(Idle time)の大部分がＴＴＧに属することを許可することにより１０７.４６μｓに設定される。しかし、上記の表２に示されるように、アイドル時間の大部分がＲＴＧに属することを許可することにより、ＴＴＧを１０５.７１μｓに、ＲＴＧを６１.７７μｓに設定することも可能である。
【００６１】
図８は、ＣＰの長さが１/８ＴｕであるＦＤＤフレーム構造の一例を示す。
【００６２】
図８を参照すると、フレームの全長が５ｍｓである場合、一つのフレームに４８個のＯＦＤＭシンボルが入る。一つのフレームは、８個のサブフレームで構成されて、一つのサブフレームは、６個のＯＦＤＭシンボルで構成される。フレームの端でアイドル時間は、前記表１のように６４.６４μｓである。
【００６３】
図４乃至図８は、ＣＰの長さが１/８ＴｕであるＴＤＤ及びＦＤＤフレーム構造を示す。然しながら、異なるＣＰの長さを有するＴＤＤフレーム構造が隣接セルで共存する時、データ送信において、ＤＬ及びＵＬ送信間の不整合(mis-alignment)のため相互干渉がおきる可能性がある。本発明ではＣＰの長さが１/８ＴｕであるＴＤＤフレームと相互干渉がおきない多様な長さのＣＰの長さを有するＴＤＤフレーム構造及び前記ＴＤＤフレームと共通性を有するＦＤＤフレーム構造を提供する。
【００６４】
<相違するＣＰの長さを有するフレーム間でスイッチングポイントがオーバラップするフレーム構造>
【００６５】
図９は、ＤＬ/ＵＬ比率が４:４の場合、本発明の一実施例に応じてＣＰの長さが１/４Ｔｕ、１/１６Ｔｕまたは１/３２ＴｕであるＴＤＤフレーム構造を示す図である。
【００６６】
図９を参照すると、基準フレーム(Reference Frame)は、図４のような既存構造であり、全体フレーム長さは５ｍｓであり、ＣＰの長さは１/８Ｔｕであり、８個のサブフレームからなっている。
【００６７】
本実施例の第１のＴＤＤフレーム構造は、ＣＰの長さが１/４Ｔｕである。全体フレーム長さは５ｍｓであり、フレームの開始地点から１/４ＴｕのＣＰの長さを有する２１個のＯＦＤＭシンボルを含む２３９９.２５μｓ地点まではＤＬ区間に設定されて、２３９９.２５μｓ地点から表２のＴＴＧ区間及びアイドル時間の一部に該当する１４１.５μｓ区間を含む２５４０.７５μｓ地点まではＴＴＧ区間に設定されて、２５４０.７５μｓ地点から１/４ＴｕのＣＰの長さを有する２１個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを５個のＯＦＤＭシンボルで構成する場合、１個の残余ＯＦＤＭシンボルはＤＬ区間にさらに割り当て、１個の残余ＯＦＤＭシンボルはＵＬ区間にさらに割り当て、残りの１個の残余ＯＦＤＭシンボルはＴＴＧ及びＲＴＧ区間に割り当てる。即ち、最後のＤＬサブフレームはＦＤＤにおいて６ＯＦＤＭシンボルで構成されて、このサブフレームの最後のＯＦＤＭシンボルはパンクチャ（puncture）され、ＴＴＧ区間のために、ＴＤＤにおいて５ＯＦＤＭシンボルのサブフレームに変換される。図９の第１のＴＤＤフレーム構造で、ＤＬ区間の最初のサブフレーム及びＵＬ区間の最後のサブフレームを６個のＯＦＤＭシンボルで構成しているが、ＤＬ区間に属するいずれか一つのサブフレームが前記最初のフレームの代わりに６個のＯＦＤＭシンボルで構成されることができ、ＵＬ区間に属するいずれか一つの前記最後のフレームの代わりに６個のＯＦＤＭシンボルで構成されることができる。また、ＤＬ区間を５個のＯＦＤＭシンボルからなる複数のサブフレーム及び残りの一つの独立したＯＦＤＭシンボルで構成することができ、ＵＬ区間を５個のＯＦＤＭシンボルからなる複数のサブフレーム及び残りの一つの独立したＯＦＤＭシンボルで構成することもできる。このようなサブフレームの構成は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００６８】
本実施例の第２のＴＤＤフレーム構造は、ＣＰの長さが１/１６Ｔｕである。全体フレーム長さが５ｍｓであり、フレームの開始地点から１/１６ＴｕのＣＰの長さを有する２５個のＯＦＤＭシンボルを含む２４２７.８μｓ地点まではＤＬ区間に設定されて、２４２７.８μｓ地点から表２のＴＴＧ区間及びアイドル時間の一部に該当する８４.５μｓ区間を含む２５１１.６μｓ地点まではＴＴＧ区間に設定されて、２５１１.６μｓ地点から１/１６ＴｕのＣＰの長さを有する２５個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、３個の残余ＯＦＤＭシンボルが残り、前記３個の残余ＯＦＤＭシンボルのうち１個のＯＦＤＭシンボルはＤＬ区間にさらに割り当て、１個のＯＦＤＭシンボルはＵＬ区間にさらに割り当て、残りの１個のＯＦＤＭシンボルはＴＴＧ及びＲＴＧ区間にさらに割り当てる。即ち、最後のＤＬサブフレームはＦＤＤで７ＯＦＤＭシンボルで構成されて、このサブフレームの最後のＯＦＤＭシンボルはパンクチャされ、ＴＴＧ区間のためＴＤＤで６ＯＦＤＭシンボルのサブフレームに変換される。図９の第２のＴＤＤフレーム構造で、ＤＬ区間の最初のサブフレームを７個のＯＦＤＭシンボルで構成しており、ＵＬ区間の最後のサブフレームを７個のＯＦＤＭシンボルで構成している。然しながら、ＤＬ区間に属するいずれか一つのサブフレームが前記最初のフレームの代わりに７個のＯＦＤＭシンボルで構成されることができ、ＵＬ区間に属するいずれか一つの前記最後のフレームの代わりに７個のＯＦＤＭシンボルで構成されることができる。また、ＤＬ区間を６個のＯＦＤＭシンボルからなる複数のサブフレーム及び残りの一つの独立したＯＦＤＭシンボルで構成することができ、ＵＬ区間を６個のＯＦＤＭシンボルからなる複数のサブフレーム及び残りの一つの独立したＯＦＤＭシンボルで構成することもできる。このようなサブフレームの構成は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００６９】
本実施例の第３のＴＤＤフレーム構造は、ＣＰの長さが１/３２Ｔｕである。全体フレーム長さが５ｍｓであり、フレームの開始地点から１/３２ＴｕのＣＰの長さを有する２６個のＯＦＤＭシンボルを含む２４５０.７６μｓ地点まではＤＬ区間に設定されて、２４５０.７６μｓ地点から表２のＴＴＧ区間及びアイドル時間の一部に該当する１３２.２２μｓ区間を含む２５８３.５μｓ地点まではＴＴＧ区間に設定されて、２５８３.５μｓ地点から１/３２ＴｕのＣＰの長さを有する２５個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、５個の残余ＯＦＤＭシンボルが残り、５個の残余ＯＦＤＭシンボルのうち２個のＯＦＤＭシンボルはＤＬ区間にさらに割り当て、１個のＯＦＤＭシンボルはＵＬ区間にさらに割り当て、残りの２個のＯＦＤＭシンボルはＴＴＧ及びＲＴＧ区間にさらに割り当てる。図９の第３のＴＤＤフレーム構造で、ＤＬ区間の最初のサブフレーム及び最後のサブフレームを７個のＯＦＤＭシンボルで構成しており、ＵＬ区間の最後のサブフレームを７個のＯＦＤＭシンボルで構成している。然しながら、ＤＬ区間に属するいずれか二つのサブフレームを前記最初及び最後のサブフレームの代わりに７個のＯＦＤＭシンボルで構成することができ、ＵＬ区間に属するいずれか一つのサブフレームを前記最後のＵＬサブフレームの代わりに７個のＯＦＤＭシンボルで構成することができる。また、ＤＬ区間を６個のＯＦＤＭシンボルからなる複数のサブフレーム及び残りの２個の独立したＯＦＤＭシンボルで構成することができ、ＵＬ区間を６個のＯＦＤＭシンボルからなる複数のサブフレーム及び残りの一つの独立したＯＦＤＭシンボルで構成することもできる。このようなサブフレームの構成は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００７０】
図９のように、ＴＤＤフレームを構成すると、相違するＣＰの長さを有するフレーム構造が隣接セルに共存する場合にも相互干渉がおきないようになる。即ち、ＣＰの長さが１/８ＴｕであるフレームのＤＬ区間とＣＰの長さが１/４Ｔｕ、１/１６Ｔｕまたは１/３２ＴｕであるフレームのＵＬ区間が重ならず、ＣＰの長さが１/８ＴｕであるフレームのＵＬ区間とＣＰの長さが１/４Ｔｕ、１/１６Ｔｕまたは１/３２ＴｕであるフレームのＤＬ区間が重ならないため、相互干渉がおきない。
【００７１】
図１０は、ＤＬ/ＵＬ比率が５:３の場合、本発明の一実施例に応じて１/８ＴｕのＣＰの長さに対比してＣＰの長さが１/４Ｔｕ、１/１６Ｔｕまたは１/３２ＴｕであるＴＤＤフレーム構造を示す図である。
【００７２】
図１０を参照すると、基準フレーム(Reference Frame)は図５のような既存構造であり、全体フレーム長さが５ｍｓであり、ＣＰの長さは１/８Ｔｕであり、８個のサブフレームからなっている。
【００７３】
本実施例の第１のＴＤＤフレーム構造は、ＣＰの長さが１/４Ｔｕである。全体フレーム長さが５ｍｓであり、フレームの開始地点から１/４ＴｕのＣＰの長さを有する２５個のＯＦＤＭシンボルを含む２８５６.２５μｓ地点まではＤＬ区間に設定されて、２８５６.２５μｓ地点から表２のＴＴＧ区間及びアイドル時間の一部に該当する１４１.５μｓ区間を含む２９９７.７５μｓ地点まではＴＴＧ区間に設定されて、２９９７.７５μｓ地点から１/４ＴｕのＣＰの長さを有する１７個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、１個の残余ＯＦＤＭシンボルをＤＬ区間にさらに割り当て、ＵＬ区間の最初のサブフレームは５個のＯＦＤＭシンボルで構成して、前記ＵＬ区間の最初のサブフレームの前方に位置した１個のＯＦＤＭシンボルはパンクチャする。図１０の第１のＴＤＤフレーム構造で、ＤＬ区間の最初のサブフレームを７個のＯＦＤＭシンボルで構成している。然しながら、ＤＬ区間に属するいずれか一つのサブフレームを前記最初のサブフレームの代わりに７個のＯＦＤＭシンボルで構成することができる。また、ＤＬ区間を６個のＯＦＤＭシンボルからなる複数のサブフレーム及び残りの一つの独立したＯＦＤＭシンボルで構成することもできる。このようなサブフレーム構造は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００７４】
他の例として、ＣＰの長さが１/４ＴｕであるＴＤＤフレーム構造で、一つのサブフレームを５個のＯＦＤＭシンボルで構成する場合、１個の残余ＯＦＤＭシンボルはＤＬ区間にさらに割り当て、１個の残余ＯＦＤＭシンボルはＵＬ区間にさらに割り当て、残りの１個の残余ＯＦＤＭシンボルはＴＴＧ区間に割り当てる構造を有することもできる。この構造は、図９のＤＬ/ＵＬ比率が４:４に記述された１/４Ｔｕの場合と同一である。
【００７５】
本実施例の第２のＴＤＤフレーム構造は、ＣＰの長さが１/１６Ｔｕである。全体フレーム長さが５ｍｓであり、フレームの開始地点から１/１６ＴｕのＣＰの長さを有する３１個のＯＦＤＭシンボルを含む３０１０.４１μｓ地点まではＤＬ区間に設定されて、３０１０.４１μｓ地点から表２のＴＴＧ区間及びアイドル時間の一部に該当する８４.５μｓ区間を含む３０９４.９１μｓ地点まではＴＴＧ区間に設定されて、３０９４.９１μｓ地点から１/１６ＴｕのＣＰの長さを有する１９個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、３個の残余ＯＦＤＭシンボルが残り、前記３個の残余ＯＦＤＭシンボルのうち１個のＯＦＤＭシンボルはＤＬ区間にさらに割り当て、１個のＯＦＤＭシンボルはＵＬ区間にさらに割り当て、残りの１個のＯＦＤＭシンボルはＴＴＧ及びＲＴＧ区間にさらに割り当てる。即ち、最後のＤＬサブフレームはＦＤＤで７ＯＦＤＭシンボルで構成されて、このサブフレームの最後のＯＦＤＭシンボルはパンクチャされて、ＴＴＧ区間のためＴＤＤで６ＯＦＤＭシンボルのサブフレームに変換される。図１０の第２のＴＤＤフレーム構造で、ＤＬ区間の最初のサブフレームを７個のＯＦＤＭシンボルで構成しており、ＵＬ区間の最後のサブフレームを７個のＯＦＤＭシンボルで構成している。然しながら、ＤＬ区間に属するいずれか一つのサブフレームを前記最初のサブフレームの代わりに７個のＯＦＤＭシンボルで構成することができ、ＵＬ区間に属するいずれか一つのサブフレームを前記最後のサブフレームの代わりに７個のＯＦＤＭシンボルで構成することができる。また、ＤＬ区間を６個のＯＦＤＭシンボルからなる複数のサブフレーム及び残りの一つの独立したＯＦＤＭシンボルで構成することができ、ＵＬ区間を６個のＯＦＤＭシンボルからなる複数のサブフレーム及び残りの一つの独立したＯＦＤＭシンボルで構成することもできる。前記残りの一つの独立したＯＦＤＭシンボルは、６ＯＦＤＭシンボルで構成されたサブフレームに後続されることができ、または７ＯＦＤＭシンボルで構成されたサブフレームのシンボル(７番目または最後のシンボル)であることができる。このようなサブフレーム構造は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００７６】
本実施例の第３のＴＤＤフレーム構造は、ＣＰの長さが１/３２Ｔｕである。全体フレーム長さが５ｍｓであり、フレームの開始地点から１/３２ＴｕのＣＰの長さを有する３２個のＯＦＤＭシンボルを含む３０１６.３２μｓ地点まではＤＬ区間に設定されて、３０１６.３２μｓ地点から表２のＴＴＧ区間及びアイドル時間の一部に該当する３８.４８μｓ区間を含む３０５４.８０μｓ地点まではＴＴＧ区間に設定されて、３０５４.８０μｓ地点から１/３２ＴｕのＣＰの長さを有する２０個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、５個の残余ＯＦＤＭシンボルが残り、前記５個の残余ＯＦＤＭシンボルのうち２個のＯＦＤＭシンボルはＤＬ区間にさらに割り当て、２個のＯＦＤＭシンボルはＵＬ区間にさらに割り当て、残りの１個のＯＦＤＭシンボルはＴＴＧ及びＲＴＧ区間にさらに割り当てる。図１０の第３のＴＤＤフレーム構造で、ＤＬ区間の最初のサブフレーム及び最後のサブフレームを７個のＯＦＤＭシンボルで構成しており、ＵＬ区間の最初のサブフレーム及び最後のサブフレームを７個のＯＦＤＭシンボルで構成している。然しながら、ＤＬ区間に属するいずれか二つのサブフレームを前記最初及び最後のＤＬサブフレームの代わりに７個のＯＦＤＭシンボルで構成することができ、ＵＬ区間に属するいずれか二つのサブフレームを前記最初及び最後のＵＬサブフレームの代わりに７個のＯＦＤＭシンボルで構成することができる。また、ＤＬ区間を６個のＯＦＤＭシンボルからなる複数のサブフレーム及び残りの２個の独立したＯＦＤＭシンボルで構成することができ、ＵＬ区間を６個のＯＦＤＭシンボルからなる複数のサブフレーム及び残りの２個の独立したＯＦＤＭシンボルで構成することもできる。このようなサブフレームの構造は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００７７】
もし、ＴＴＧ区間が３８.４８μｓより長い区間を要求する場合、ＤＬ区間またはＵＬ区間に追加的に割り当てられたＯＦＤＭシンボルのうち一つをＴＴＧ区間のためにさらに割り当てることができる。例えば、ＵＬ区間に追加的に割り当てられたＯＦＤＭシンボルのうち一つをＴＴＧ区間のためにさらに割り当て、ＴＴＧ区間を１３２.７４μｓにしてもよい。
【００７８】
図１０のようにＴＤＤフレームを構成すると、相違するＣＰの長さを有するフレーム構造が隣接セルに共存する場合にも相互干渉がおきないようになる。即ち、ＣＰの長さが１/８ＴｕであるフレームのＤＬ区間とＣＰの長さが１/４Ｔｕ、１/１６Ｔｕまたは１/３２ＴｕであるフレームのＵＬ区間が重ならず、ＣＰの長さが１/８ＴｕであるフレームのＵＬ区間とＣＰの長さが１/４Ｔｕ、１/１６Ｔｕまたは１/３２ＴｕであるフレームのＤＬ区間が重ならないため、相互干渉がおきない。
【００７９】
図１１は、ＤＬ/ＵＬ比率が６:２の場合、本発明の一実施例に応じて１/８ＴｕのＣＰの長さに対比してＣＰの長さが１/４Ｔｕ、１/１６Ｔｕまたは１/３２ＴｕであるＴＤＤフレーム構造を示す図である。
【００８０】
図１１を参照すると、基準フレーム(Reference Frame)は、図６の既存構造のように、全体フレーム長さが５ｍｓであり、ＣＰの長さは１/８Ｔｕであり、８個のサブフレームからなっている。
【００８１】
本実施例の第１のＴＤＤフレーム構造は、ＣＰの長さが１/４Ｔｕである。全体フレーム長さが５ｍｓであり、フレームの開始地点から１/４ＴｕのＣＰの長さを有する３１個のＯＦＤＭシンボルを含む３５４１.８μｓ地点まではＤＬ区間に設定されて、３５４１.８μｓ地点から表２のＴＴＧ区間及びアイドル時間の一部に該当する１４１.４５μｓ区間を含む３６８３.２５μｓ地点まではＴＴＧ区間に設定されて、３６８３.２５μｓ地点から１/４ＴｕのＣＰの長さを有する１１個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、１個の残余ＯＦＤＭシンボルをＤＬ区間にさらに割り当て、ＵＬ区間の最初のサブフレームは５個のＯＦＤＭシンボルで構成して、前記ＵＬ区間の最初のサブフレームの前方に位置した１個のＯＦＤＭシンボルはパンクチャする。図１１の第１のＴＤＤフレーム構造で、ＤＬ区間の最初のサブフレームを７個のＯＦＤＭシンボルで構成している。然しながら、ＤＬ区間に属するいずれか一つのサブフレームを前記最初のサブフレームの代わりに７個のＯＦＤＭシンボルで構成することができる。また、ＤＬ区間を６個のＯＦＤＭシンボルからなる複数のサブフレーム及び残りの一つの独立したＯＦＤＭシンボルで構成することもできる。このようなサブフレームの構造は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００８２】
他の例として、ＣＰの長さが１/４ＴｕであるＴＤＤフレーム構造で、一つのサブフレームを５個のＯＦＤＭシンボルで構成する場合、１個の残余ＯＦＤＭシンボルはＤＬ区間にさらに割り当て、１個の残余ＯＦＤＭシンボルはＵＬ区間にさらに割り当て、残りの１個の残余ＯＦＤＭシンボルはＴＴＧ区間に割り当てる構造を有することもできる。この構造は、図９のＤＬ/ＵＬ比率が４:４に記述された１/４Ｔｕの場合と同一である。
【００８３】
本実施例の第２のＴＤＤフレーム構造は、ＣＰの長さが１/１６Ｔｕである。全体フレーム長さが５ｍｓであり、フレームの開始地点から１/１６ＴｕのＣＰの長さを有する３７個のＯＦＤＭシンボルを含む３５９３.０７μｓ地点まではＤＬ区間に設定されて、３５９３.０７μｓ地点から表２のＴＴＧ区間及びアイドル時間の一部に該当する８４.５μｓ区間を含む３６７７.５７μｓ地点まではＴＴＧ区間に設定されて、３６７７.５７μｓ地点から１/１６ＴｕのＣＰの長さを有する１３個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、３個の残余ＯＦＤＭシンボルが残り、前記３個の残余ＯＦＤＭシンボルのうち１個のＯＦＤＭシンボルはＤＬ区間にさらに割り当て、１個のＯＦＤＭシンボルはＵＬ区間にさらに割り当て、残りの１個のＯＦＤＭシンボルはＴＴＧ及びＲＴＧ区間にさらに割り当てる。即ち、最後のＤＬサブフレームはＦＤＤで７ＯＦＤＭシンボルで構成されて、このサブフレームの最後のＯＦＤＭシンボルはパンクチャされて、ＴＴＧ区間のためＴＤＤで６ＯＦＤＭシンボルのサブフレームに変換される。図１１の第２のＴＤＤフレーム構造で、ＤＬ区間の最初のサブフレームを７個のＯＦＤＭシンボルで構成しており、ＵＬ区間の最後のサブフレームを７個のＯＦＤＭシンボルで構成している。然しながら、ＤＬ区間に属するいずれか一つのサブフレームを前記最初のサブフレームの代わりに７個のＯＦＤＭシンボルで構成することができ、ＵＬ区間に属するいずれか一つのサブフレームを前記最後のサブフレームの代わりに７個のＯＦＤＭシンボルで構成することができる。また、ＤＬ区間を６個のＯＦＤＭシンボルからなる複数のサブフレーム及び残りの一つの独立したＯＦＤＭシンボルで構成することができ、ＵＬ区間を６個のＯＦＤＭシンボルからなる複数のサブフレーム及び残りの一つの独立したＯＦＤＭシンボルで構成することもできる。このようなサブフレームの構造は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００８４】
本実施例の第３のＴＤＤフレーム構造は、ＣＰの長さが１/３２Ｔｕである。全体フレーム長さが５ｍｓであり、フレームの開始地点から１/３２ＴｕのＣＰの長さを有する３８個のＯＦＤＭシンボルを含む３５８１.８８μｓ地点まではＤＬ区間に設定されて、３５８１.８８μｓ地点から表２のＴＴＧ区間及びアイドル時間の一部に該当する３８.４８μｓ区間を含む３６２０.３６μｓ地点まではＴＴＧ区間に設定されて、３６２０.３６μｓ地点から１/３２ＴｕのＣＰの長さを有する１４個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、５個の残余ＯＦＤＭシンボルが残り、前記５個の残余ＯＦＤＭシンボルのうち２個のＯＦＤＭシンボルはＤＬ区間にさらに割り当て、２個のＯＦＤＭシンボルはＵＬ区間にさらに割り当て、残りの１個のＯＦＤＭシンボルはＴＴＧ及びＲＴＧ区間にさらに割り当てる。図１１の第３のＴＤＤフレーム構造で、ＤＬ区間の最初のサブフレーム及び最後のサブフレームを７個のＯＦＤＭシンボルで構成している。然しながら、ＤＬ区間に属するいずれか二つのサブフレームを前記最初及び最後のサブフレームの代わりに７個のＯＦＤＭシンボルで構成することができる。また、ＤＬ区間を６個のＯＦＤＭシンボルからなる複数のサブフレーム及び残りの２個の独立したＯＦＤＭシンボルで構成することができ、ＵＬ区間を６個のＯＦＤＭシンボルからなる複数のサブフレーム及び残りの２個の独立したＯＦＤＭシンボルで構成することもできる。このようなサブフレームの構造は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００８５】
また、ＴＴＧ区間が３８.４８μｓより長い区間を要求する場合、ＤＬ区間またはＵＬ区間に追加的に割り当てられたＯＦＤＭシンボルのうち一つをＴＴＧ区間のためにさらに割り当てることができる。例えば、ＵＬ区間に追加的に割り当てられたＯＦＤＭシンボルのうち一つをＴＴＧ区間のためにさらに割り当て、ＴＴＧ区間を１３２.７４μｓにしてもよい。
【００８６】
図１１のようにＴＤＤフレームを構成すると、相違するＣＰの長さを有するフレーム構造が隣接セルに共存する場合にも相互干渉がおきないようになる。即ち、ＣＰの長さが１/８ＴｕであるフレームのＤＬ区間とＣＰの長さが１/４Ｔｕ、１/１６Ｔｕまたは１/３２ＴｕであるフレームのＵＬ区間が重ならず、ＣＰの長さが１/８ＴｕであるフレームのＵＬ区間とＣＰの長さが１/４Ｔｕ、１/１６Ｔｕまたは１/３２ＴｕであるフレームのＤＬ区間が重ならないため、相互干渉がおきない。
【００８７】
図１２は、ＤＬ/ＵＬ比率が７:１の場合、本発明の一実施例に応じて１/８ＴｕのＣＰの長さに対比してＣＰの長さが１/４Ｔｕ、１/１６Ｔｕまたは１/３２ＴｕであるＴＤＤフレーム構造を示す図である。
【００８８】
図１２を参照すると、基準フレーム(Reference Frame)は、図７の既存構造のように、全体フレーム長さが５ｍｓであり、ＣＰの長さは１/８Ｔｕであり、８個のサブフレームからなっている。
【００８９】
本実施例の第１のＴＤＤフレーム構造は、ＣＰの長さが１/４Ｔｕである。全体フレーム長さが５ｍｓであり、フレームの開始地点から１/４ＴｕのＣＰの長さを有する３７個のＯＦＤＭシンボルを含む４２２７.２５μｓ地点まではＤＬ区間に設定されて、４２２７.２５μｓ地点から表２のＴＴＧ区間及びアイドル時間の一部に該当する１４１.５μｓ区間を含む４３６８.７５μｓ地点まではＴＴＧ区間に設定されて、４３６８.７５μｓ地点から１/４ＴｕのＣＰの長さを有する５個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、１個の残余ＯＦＤＭシンボルをＤＬ区間にさらに割り当て、ＵＬ区間の最初のサブフレームは５個のＯＦＤＭシンボルで構成して、前記ＵＬ区間の最初のサブフレームの前方に位置した１個のＯＦＤＭシンボルはパンクチャする。図１２の第１のＴＤＤフレーム構造で、ＤＬ区間の最初のサブフレームを７個のＯＦＤＭシンボルで構成している。然しながら、ＤＬ区間に属するいずれか一つのサブフレームを前記最初のサブフレームの代わりに７個のＯＦＤＭシンボルで構成することができる。また、ＤＬ区間を６個のＯＦＤＭシンボルからなる複数のサブフレーム及び残りの一つの独立したＯＦＤＭシンボルで構成することもできる。このようなサブフレームの構造は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００９０】
他の例として、ＣＰの長さが１/４ＴｕであるＴＤＤフレーム構造で、一つのサブフレームを５個のＯＦＤＭシンボルで構成する場合、１個の残余ＯＦＤＭシンボルはＤＬ区間にさらに割り当て、１個の残余ＯＦＤＭシンボルはＵＬ区間にさらに割り当て、残りの１個の残余ＯＦＤＭシンボルはＴＴＧとＲＴＧ区間に割り当てる構造を有することもできる。この構造は、図９のＤＬ/ＵＬ比率が４:４に記述された１/４Ｔｕの場合と同一である。
【００９１】
本実施例の第２のＴＤＤフレーム構造は、ＣＰの長さが１/１６Ｔｕである。全体フレーム長さが５ｍｓであり、フレームの開始地点から１/１６ＴｕのＣＰの長さを有する４３個のＯＦＤＭシンボルを含む４１７５.７３μｓ地点まではＤＬ区間に設定されて、４１７５.７３μｓ地点から表２のＴＴＧ区間及びアイドル時間の一部に該当する８４.５μｓ区間を含む４２６０.２３μｓ地点まではＴＴＧ区間に設定されて、４２６０.２３μｓ地点から１/１６ＴｕのＣＰの長さを有する７個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを複数のＯＦＤＭシンボルで構成する場合、３個の残余ＯＦＤＭシンボルが残り、前記３個の残余ＯＦＤＭシンボルのうち１個のＯＦＤＭシンボルはＤＬ区間にさらに割り当て、１個のＯＦＤＭシンボルはＵＬ区間にさらに割り当て、残りの１個のＯＦＤＭシンボルはＴＴＧ及びＲＴＧ区間にさらに割り当てる。即ち、最後のＤＬサブフレームはＦＤＤで７ＯＦＤＭシンボルで構成されて、このサブフレームの最後のＯＦＤＭシンボルはパンクチャされて、ＴＴＧ区間のためＴＤＤで６ＯＦＤＭシンボルのサブフレームに変換される。図１２の第２のＴＤＤフレーム構造で、ＤＬ区間の最初のサブフレームを７個のＯＦＤＭシンボルで構成している。然しながら、ＤＬ区間に属するいずれか一つのサブフレームを前記最初のサブフレームの代わりに７個のＯＦＤＭシンボルで構成することができる。また、ＤＬ区間を６個のＯＦＤＭシンボルからなる複数のサブフレーム及び残りの一つの独立したＯＦＤＭシンボルで構成することもできる。このようなサブフレームの構造は、例示に過ぎない。即ち、ＤＬ区間に属するサブフレームを任意の個数のＯＦＤＭシンボルで構成してもよく、ＵＬ区間に属するサブフレームを任意のＯＦＤＭシンボルで構成してもよく、各サブフレームは相違する大きさを有してもよい。
【００９２】
本実施例の第３のＴＤＤフレーム構造は、ＣＰの長さが１/３２Ｔｕである。全体フレーム長さが５ｍｓであり、フレームの開始地点から１/３２ＴｕのＣＰの長さを有する４５個のＯＦＤＭシンボルを含む４２４１.７μｓ地点まではＤＬ区間に設定されて、４２４１.７μｓ地点から表２のＴＴＧ区間及びアイドル時間の一部に該当する３８.４８μｓ区間を含む４２８０.１８μｓ地点まではＴＴＧ区間に設定されて、４２８０.１８μｓ地点から１/３２ＴｕのＣＰの長さを有する７個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。従って、一つのサブフレームを６個のＯＦＤＭシンボルで構成する場合、５個の残余ＯＦＤＭシンボルが残り、前記５個の残余ＯＦＤＭシンボルのうち３個のＯＦＤＭシンボルはＤＬ区間にさらに割り当て、１個のＯＦＤＭシンボルはＵＬ区間にさらに割り当て、残りの１個のＯＦＤＭシンボルはＴＴＧ及びＲＴＧ区間にさらに割り当てる。図１２の第３のＴＤＤフレーム構造で、ＤＬ区間の最初のサブフレームと６番目及び７番目のサブフレームを７個のＯＦＤＭシンボルで構成している。然しながら、ＤＬ区間に属するいずれか３個のサブフレームを前記３個のサブフレームの代わりに７個のＯＦＤＭシンボルで構成することができる。また、ＤＬ区間を６個のＯＦＤＭシンボルからなる複数のサブフレームと残りの３個の独立したＯＦＤＭシンボルで構成することができ、ＵＬ区間を６個のＯＦＤＭシンボルからなるサブフレームと残りの一つの独立したＯＦＤＭシンボルで構成することもできる。このようなサブフレームの構造は、例示に過ぎない。即ち、ＤＬ区間に属するサブフレームを任意の個数のＯＦＤＭシンボルで構成してもよく、ＵＬ区間に属するサブフレームを任意の個数のＯＦＤＭシンボルで構成してもよく、各サブフレームは相違する大きさを有してもよい。
【００９３】
また、ＴＴＧ区間が３８.４８μｓより長い区間を要求する場合、ＤＬ区間またはＵＬ区間に追加的に割り当てられたＯＦＤＭシンボルのうち一つをＴＴＧ区間のためにさらに割り当てることができる。例えば、ＵＬ区間に追加的に割り当てられたＯＦＤＭシンボルのうち一つをＴＴＧ区間のためにさらに割り当て、ＴＴＧ区間を１３２.７４μｓにしてもよい。
【００９４】
図１２のようにＴＤＤフレームを構成すると、相違するＣＰの長さを有するフレーム構造が隣接セルに共存する場合にも相互干渉がおきないようになる。即ち、ＣＰの長さが１/８ＴｕであるフレームのＤＬ区間とＣＰの長さが１/４Ｔｕ、１/１６Ｔｕまたは１/３２ＴｕであるフレームのＵＬ区間が重ならず、ＣＰの長さが１/８ＴｕであるフレームのＵＬ区間とＣＰの長さが１/４Ｔｕ、１/１６Ｔｕまたは１/３２ＴｕであるフレームのＤＬ区間が重ならないため、相互干渉がおきない。
【００９５】
下記の表３は、図９乃至図１２に示している特徴を要約したものであり、既存フレーム構造と相互共存して異なるＣＰの長さを有する本発明の実施例に係るフレーム構造を示す。
【００９６】
【表３】
0005451642.tif 000004
【００９７】
前記表３のＤＬ/ＵＬ比率が４:４であり、ＣＰの長さが１/４ＴｕであるＴＤＤフレーム構造で、一つのサブフレームは５個のＯＦＤＭシンボルからなると仮定し、１/３２ＴｕであるＴＤＤフレーム構造でＴＴＧ区間に一つのＯＦＤＭシンボルがさらに割り当てられる。また、ＤＬ/ＵＬ比率が７:１であり、ＣＰの長さが１/３２ＴｕであるＴＤＤフレーム構造で、ＤＬ区間のために一つのサブフレームのみが割り当てられたため、残余ＯＦＤＭシンボルをＵＬ区間にさらに割り当てる。表３で、(＊)表示がある最後の２行は、一つのサブフレームが基本的にいくつかのＯＦＤＭシンボルで構成されたかに応じて変わる。前記表３の構成がシステムに適用される時、必要に従ってＤＬ区間またはＵＬ区間で一個のシンボルをさらにパンクチャすることができる。
【００９８】
<サブフレームに含まれるＯＦＤＭシンボル個数にともなうサブフレームタイプ>
【００９９】
以下、図１３乃至図１６は、１)隣接セルで１/８ＴｕのＣＰの長さを有するＴＤＤフレーム構造と共存して異なるＣＰの長さを有する図９乃至図１２のＴＤＤフレーム構造、及び、２)前記ＴＤＤフレーム構造と共通性を有するＦＤＤフレーム構造を示す。ＣＰの長さが１/４Ｔｕ、１/１６Ｔｕまたは１/３２ＴｕであるＴＤＤフレーム及びＦＤＤフレームは３つのタイプのサブフレームで構成される。
【０１００】
以下、６個のＯＦＤＭシンボルで構成されたサブフレームタイプをＳＦＴ-１(Subframe Type-1)、５個のＯＦＤＭシンボルで構成されたサブフレームタイプをＳＦＴ-２、７個のＯＦＤＭシンボルで構成されたサブフレームタイプをＳＦＴ-３という。ここで、ＳＦＴ-３タイプのサブフレームは、ＳＦＴ-１タイプのサブフレームに一つのＯＦＤＭシンボルが追加される形態であり、前記一つのＯＦＤＭシンボルが追加される位置は、ＳＦＴ-１タイプのサブフレームの前、後または任意の中間位置であってもよい。追加された前記一つのＯＦＤＭシンボルは、プリアンブルまたはサウンディング(Sounding)などのような制御情報に使われる、或いはデータに使われることができる。
【０１０１】
図１３は、本発明の一実施例に応じてＣＰの長さが１/４ＴｕであるＴＤＤフレーム構造及び前記ＴＤＤフレーム構造と共通性を有するＦＤＤフレーム構造を示す図である。図１３において、ＳＦＴ-２及びＳＦＴ-３タイプのサブフレームを除いた残りのサブフレームは全部ＳＦＴ-１タイプのサブフレームである。
【０１０２】
図１３を参照すると、本実施例の第１のＴＤＤフレーム構造において、ＤＬ/ＵＬ比率が４:３であり、ＣＰの長さが１/４Ｔｕである。全体フレーム長さが５ｍｓであり、フレームの開始地点から１/４ＴｕのＣＰの長さを有する２５個のＯＦＤＭシンボルを含む２８５６.２５μｓ地点まではＤＬ区間に設定されて、２８５６.２５μｓ地点から表２のＴＴＧ区間及びアイドル時間の一部に該当する１４１.５μｓ区間を含む２９９７.７５μｓ地点まではＴＴＧ区間に設定されて、２９９７.７５μｓ地点から１/４ＴｕのＣＰの長さを有する１７個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。
【０１０３】
従って、ＤＬ区間は、３個のＳＦＴ-１サブフレーム及び１個のＳＦＴ-３サブフレームで構成されて、ＵＬ区間は、２個のＳＦＴ-１サブフレーム及び１個のＳＦＴ-２サブフレームで構成される。ここで、ＵＬ区間とＤＬ区間内のサブフレームタイプの配置に制約をおかない。
【０１０４】
本実施例の第２のＴＤＤフレーム構造において、ＤＬ/ＵＬ比率が５:２であり、ＣＰの長さが１/４Ｔｕである。全体フレーム長さが５ｍｓであり、フレームの開始地点から１/４ＴｕのＣＰの長さを有する３１個のＯＦＤＭシンボルを含む３５４１.８μｓ地点まではＤＬ区間に設定されて、３５４１.８μｓ地点から表２のＴＴＧ区間及びアイドル時間の一部に該当する１４１.５μｓ区間を含む３６８３.２５μｓ地点まではＴＴＧ区間に設定されて、３６８３.２５μｓ地点から１/４ＴｕのＣＰの長さを有する１１個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。
【０１０５】
従って、ＤＬ区間は、４個のＳＦＴ-１サブフレーム及び１個のＳＦＴ-３サブフレームで構成されて、ＵＬ区間は、１個のＳＦＴ-１サブフレーム及び１個のＳＦＴ-２サブフレームで構成される。ここで、ＵＬ区間とＤＬ区間内のサブフレームタイプの配置に制約をおかない。
【０１０６】
本実施例の第３のＴＤＤフレーム構造において、ＤＬ/ＵＬ比率が６:１であり、ＣＰの長さが１/４Ｔｕである。全体フレーム長さが５ｍｓであり、フレームの開始地点から１/４ＴｕのＣＰの長さを有する３７個のＯＦＤＭシンボルを含む４２２７.２５μｓ地点まではＤＬ区間に設定されて、４２２７.２５μｓ地点から表２のＴＴＧ区間及びアイドル時間の一部に該当する１４１.５μｓ区間を含む４３６８.７５μｓ地点まではＴＴＧ区間に設定されて、４３６８.７５μｓ地点から１/４ＴｕのＣＰの長さを有する５個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。
【０１０７】
従って、ＤＬ区間は、５個のＳＦＴ-１サブフレーム及び１個のＳＦＴ-３サブフレームで構成されて、ＵＬ区間は、１個のＳＦＴ-２サブフレームで構成される。ここで、ＵＬ区間とＤＬ区間内のサブフレームタイプの配置に制約をおかない。
【０１０８】
ＴＤＤフレームを前述したように構成する場合、ＣＰの長さが１/８Ｔｕであるフレーム構造とＤＬ/ＵＬスイッチング区間を一致させて、隣接セルに１/８ＴｕのＣＰの長さを有するシステムが存在する場合にもダウンリンクとアップリンク送信間の干渉を最小化することができる。
【０１０９】
ＤＬ/ＵＬ比率に関係なく、ＤＬ区間は、１個のＳＦＴ-３タイプのサブフレームを含む。図１３において、ＤＬ区間の最初のサブフレーム(＃１)をＳＦＴ-３タイプのサブフレームで構成しているが、これは例示に過ぎない。即ち、ＤＬ/ＵＬ比率が４:３の場合、ＳＦＴ-３タイプのサブフレームは、＃１、＃２、＃３及び＃４のうち一つに位置することができて、ＤＬ/ＵＬ比率が５:２の場合、ＳＦＴ-３タイプのサブフレームは、＃１、＃２、＃３、＃４及び＃５のうち一つに位置することができて、ＤＬ/ＵＬ比率が６:１の場合、ＳＦＴ-３タイプのサブフレームは、＃１、＃２、＃３、＃４、＃５及び＃６のうち一つに位置することができる。
【０１１０】
また、ＤＬ/ＵＬ比率に関係なく、ＵＬ区間は、１個のＳＦＴ-２タイプのサブフレームを含む。図１３において、ＵＬ区間の最初のサブフレームをＳＦＴ-２タイプのサブフレームで構成しているが、これは例示に過ぎない。即ち、ＤＬ/ＵＬ比率が４:３の場合、ＳＦＴ-２タイプのサブフレームは、＃５、＃６及び＃７のうち一つに位置することができて、ＤＬ/ＵＬ比率が５:２の場合、ＳＦＴ-２タイプのサブフレームは、＃６及び＃７のうち一つに位置することができて、ＤＬ/ＵＬ比率が６:１の場合、ＳＦＴ-２タイプのサブフレームは、＃７に位置することができる。
【０１１１】
次に、ＦＤＤフレーム構造を記述すると、ＦＤＤフレームは、一つのピボットサブフレーム(pivot subframe)を含む。ピボットサブフレームとは、ＴＤＤフレームと共通性を維持するためにＴＤＤフレームのＴＴＧ区間と対応する位置にあるサブフレームである。ＣＰの長さが１/４Ｔｕの場合、ピボットサブフレームは、ＳＦＴ-１タイプのサブフレームである。ＤＬ/ＵＬ比率が４:３の場合、ＴＤＤフレーム内のＴＴＧ区間は、＃４と＃５との間に位置するため、ＦＤＤフレーム内のピボットサブフレームは、＃５に位置することができる。ＤＬ/ＵＬ比率が５:２の場合、ＴＤＤフレーム内のＴＴＧ区間は、＃５と＃６との間に位置するため、ＦＤＤフレーム内のピボットサブフレームは、＃６に位置することができる。また、ＤＬ/ＵＬ比率が６:１の場合、ＴＤＤフレーム内のＴＴＧ区間は、＃６と＃７との間に位置するため、ＦＤＤフレーム内のピボットサブフレームは、＃７に位置することができる。ＴＤＤフレームと共通性を維持するために前記ピボットサブフレームより前方位置に一つのＳＦＴ-３タイプのサブフレームを位置させる。即ち、ＤＬ/ＵＬ比率が４:３の場合、ＳＦＴ-３タイプのサブフレームは、＃１、＃２、＃３及び＃４のうち一つに位置することができて、ＤＬ/ＵＬ比率が５:２の場合、ＳＦＴ-３タイプのサブフレームは、＃１、＃２、＃３、＃４及び＃５のうち一つに位置することができて、ＤＬ/ＵＬ比率が６:１の場合、ＳＦＴ-３タイプのサブフレームは、＃１、＃２、＃３、＃４、＃５及び＃６のうち一つに位置することができる。
【０１１２】
図１３において、ピボットサブフレームがサブフレーム＃５、＃６及び＃７に位置しているが、これは例示に過ぎない。ピボットサブフレームを異なる位置に有する他のＦＤＤフレームが同一に考慮されることができる。
【０１１３】
図１３は、ＣＰの長さが１/４ＴｕであるＴＤＤフレーム構造で、基本(basic)サブフレームをＳＦＴ-１タイプのサブフレームで構成したものである。然しながら、基本サブフレームをＳＦＴ-２タイプのサブフレームで構成することも可能である。
【０１１４】
図１４は、本発明の一実施例に応じてＣＰの長さが１/４Ｔｕであり、ＳＦＴ-２サブフレームで構成された基本サブフレームで構成されたＴＤＤフレーム及び前記ＴＤＤフレームと共通性を有するＦＤＤフレームを示す図である。図１４において、ＳＦＴ-１タイプのサブフレームを除いた残りのサブフレームは、ＳＦＴ-２タイプのサブフレームである。
【０１１５】
図１４を参照すると、本実施例の第１のＴＤＤフレーム構造において、ＤＬ/ＵＬ比率が４:４であり、ＣＰの長さが１/４Ｔｕであり、基本サブフレームがＳＦＴ-２タイプのサブフレームである。この構造は、図９のＣＰの長さが１/４ＴｕであるＴＤＤフレーム構造と同一である。従って、ＤＬ区間は、１個のＳＦＴ-１サブフレーム及び３個のＳＦＴ-２サブフレームで構成されて、ＵＬ区間は、１個のＳＦＴ-１サブフレーム及び３個のＳＦＴ-２サブフレームで構成される。ここで、ＵＬ区間とＤＬ区間内のサブフレームタイプの配置に制約をおかない。
【０１１６】
本実施例の第２のＴＤＤフレーム構造において、ＤＬ/ＵＬ比率が５:３であり、ＣＰの長さが１/４Ｔｕであり、基本サブフレームがＳＦＴ-２タイプのサブフレームである。全体フレーム長さが５ｍｓであり、フレームの開始地点から１/４ＴｕのＣＰの長さを有する２６個のＯＦＤＭシンボルを含む２９７０.５μｓ地点まではＤＬ区間に設定されて、２９７０.５μｓ地点から表２のＴＴＧ区間及びアイドル時間の一部に該当する１４１.５μｓ区間を含む３１１２μｓ地点まではＴＴＧ区間に設定されて、３１１２μｓ地点から１/４ＴｕのＣＰの長さを有する１６個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。
【０１１７】
従って、ＤＬ区間は、１個のＳＦＴ-１サブフレーム及び４個のＳＦＴ-２サブフレームで構成されて、ＵＬ区間は、１個のＳＦＴ-１サブフレーム及び２個のＳＦＴ-２サブフレームで構成される。ここで、ＵＬ区間とＤＬ区間内のサブフレームタイプの配置に制約をおかない。
【０１１８】
本実施例の第３のＴＤＤフレーム構造において、ＤＬ/ＵＬ比率が６:２であり、ＣＰの長さが１/４Ｔｕであり、基本サブフレームがＳＦＴ-２タイプのサブフレームである。この構造は、図１１のＣＰの長さが１/４Ｔｕであるフレーム構造と同一である。従って、ＤＬ区間は、１個のＳＦＴ-１サブフレーム及び５個のＳＦＴ-２サブフレームで構成されて、ＵＬ区間は、１個のＳＦＴ-１サブフレームと１個のＳＦＴ-２サブフレームで構成される。ここで、ＵＬ区間とＤＬ区間内のサブフレームタイプの配置に制約をおかない。
【０１１９】
本実施例の第４のＴＤＤフレーム構造において、ＤＬ/ＵＬ比率が７:１であり、ＣＰの長さが１/４Ｔｕであり、基本サブフレームがＳＦＴ-２タイプのサブフレームである。全体フレーム長さが５ｍｓであり、フレームの開始地点から１/４ＴｕのＣＰの長さを有する３６個のＯＦＤＭシンボルを含む４１１３μｓ地点まではＤＬ区間に設定されて、４１１３μｓ地点から表２のＴＴＧ区間及びアイドル時間の一部に該当する１４１.５μｓ区間を含む４２５４.５μｓ地点まではＴＴＧ区間に設定されて、４２５４.５μｓ地点から１/４ＴｕのＣＰの長さを有する６個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。各地点は、ＴＴＧ区間及びＲＴＧ区間に応じて変化されることができる。
【０１２０】
従って、ＤＬ区間は、１個のＳＦＴ-１サブフレーム及び６個のＳＦＴ-２サブフレームで構成されて、ＵＬ区間は、１個のＳＦＴ-１サブフレームで構成される。ここで、ＵＬ区間とＤＬ区間内のサブフレームタイプの配置には制約をおかない。
【０１２１】
ＴＤＤフレームを前述したように構成する場合、ＣＰの長さが１/８Ｔｕであるフレーム構造とＤＬ/ＵＬスイッチング区間を一致させて、隣接セルに１/８ＴｕのＣＰの長さを有するシステムが存在する場合にもダウンリンクとアップリンク送信間の干渉を最小化することができる。
【０１２２】
基本サブフレームをＳＦＴ-２タイプのサブフレームで構成する場合、ＤＬ/ＵＬ比率に関係なく、ＤＬ区間は、１個のＳＦＴ-１タイプのサブフレームを含む。ＤＬ/ＵＬ比率が４:４の場合、ＳＦＴ-１タイプのサブフレームは、＃１、＃２、＃３及び＃４のうち一つに位置することができて、ＤＬ/ＵＬ比率が５:３の場合、ＳＦＴ-１タイプのサブフレームは＃１、＃２、＃３、＃４及び＃５のうち一つに位置することができて、ＤＬ/ＵＬ比率が６:２の場合、ＳＦＴ-１タイプのサブフレームは、＃１、＃２、＃３、＃４、＃５及び＃６のうち一つに位置することができて、ＤＬ/ＵＬ比率が７:１の場合、ＳＦＴ-１タイプのサブフレームは、＃１、＃２、＃３、＃４、＃５、＃６及び＃７のうち一つに位置することができる。
【０１２３】
基本サブフレームをＳＦＴ-２タイプのサブフレームで構成する場合、ＤＬ/ＵＬ比率に関係なく、ＵＬ区間は、１個のＳＦＴ-１タイプのサブフレームを含む。ＤＬ/ＵＬ比率が４:４の場合、ＳＦＴ-１タイプのサブフレームは、＃５、＃６、＃７及び＃８のうち一つに位置することができて、ＤＬ/ＵＬ比率が５:３の場合、ＳＦＴ-１タイプのサブフレームは、＃６、＃７及び＃８のうち一つに位置することができて、ＤＬ/ＵＬ比率が６:２の場合、ＳＦＴ-１タイプのサブフレームは、＃７及び＃８のうち一つに位置することができて、ＤＬ/ＵＬ比率が７:１の場合、ＳＦＴ-１タイプのサブフレームは、＃８に位置することができる。
【０１２４】
次に、ＣＰの長さが１/４Ｔｕであり、基本サブフレームは、ＳＦＴ-２サブフレームで構成されたＦＤＤフレーム構造を記述すると、ピボットサブフレームは、ＴＤＤフレームのＴＴＧ区間と対応する位置に位置することができる。ここで、ピボットサブフレームはＳＦＴ-１タイプサブフレームである。ＤＬ/ＵＬ比率が４:４の場合、ＴＴＤフレーム内のＴＴＧ区間は、＃４と＃５との間に位置するため、ＦＤＤフレーム内のピボットサブフレームは、＃４または＃５に位置することができる。ＤＬ/ＵＬ比率が５:３の場合、ＴＤＤフレーム内のＴＴＧ区間は、＃５と＃６との間に位置するため、ＦＤＤフレーム内のピボットサブフレームは、＃５または＃６に位置することができる。ＤＬ/ＵＬ比率が６:２の場合、ＴＤＤフレーム内のＴＴＧ区間は、＃６と＃７との間に位置するため、ＦＤＤフレーム内のピボットサブフレームは、＃６または＃７に位置することができる。また、ＤＬ/ＵＬ比率が７:１の場合、ＴＤＤフレーム内のＴＴＧ区間は、＃７と＃８との間に位置するため、ＦＤＤフレーム内のピボットサブフレームは、＃７または＃８に位置することができる。ただし、ＵＬ区間は、一つのＳＦＴ-１タイプのサブフレームを含むため、ＤＬ/ＵＬ比率が７:１の場合、ピボットサブフレームの位置は、＃７であることが望ましい。
【０１２５】
ＴＤＤフレームと共通性を維持するために前記ピボットサブフレームより前方位置に１個のＳＦＴ-１タイプのサブフレームを位置させて、前記ピボットサブフレームの後方に１個のＳＦＴ-１タイプのサブフレームを位置させる。即ち、ＤＬ/ＵＬ比率が４:４の場合、ピボットサブフレームを除いたＳＦＴ-１タイプのサブフレームは、ピボットサブフレームが＃４に位置する場合、＃１、＃２及び＃３のうち一つと＃５、＃６、＃７及び＃８のうち一つに位置することができ、またはピボットサブフレームが＃５に位置する場合、＃１、＃２、＃３及び＃４のうち一つと＃６、＃７及び＃８のうち一つに位置することができる。ＤＬ/ＵＬ比率が５:３の場合、ピボットサブフレームを除いたＳＦＴ-１タイプのサブフレームは、ピボットサブフレームが＃５に位置する場合、＃１、＃２、＃３及び＃４のうち一つと＃６、＃７及び＃８のうち一つに位置することができ、またはピボットサブフレームが＃６に位置する場合、＃１、＃２、＃３、＃４及び＃５のうち一つと＃７及び＃８のうち一つに位置することができる。ＤＬ/ＵＬ比率が６:２の場合、ピボットサブフレームを除いたＳＦＴ-１タイプのサブフレームは、ピボットサブフレームが＃６に位置する場合、＃１、＃２、＃３、＃４及び＃５のうち一つと＃７及び＃８のうち一つに位置することができ、またはピボットサブフレームが＃７に位置する場合、＃１、＃２、＃３、＃４、＃５及び＃６のうち一つと＃８に位置することができる。ＤＬ/ＵＬ比率が７:１の場合、ピボットサブフレームを除いたＳＦＴ-１タイプのサブフレームは、ピボットサブフレームが＃７に位置する場合、＃１、＃２、＃３、＃４、＃５または＃６のうち一つと＃８に位置することができ、またはピボットサブフレームが＃８に位置する場合、＃１、＃２、＃３、＃４、＃５、＃６及び＃７のうち二つに位置することができる。
【０１２６】
図１４において、ピボットサブフレームがサブフレーム＃５、＃６、＃７及び＃８に位置しているが、これは例示に過ぎない。ピボットサブフレームを異なる位置に有する他のＦＤＤフレームが同一に考慮されることができる。
【０１２７】
図１５は、本発明の一実施例に応じてＣＰの長さが１/１６ＴｕであるＴＤＤフレーム構造及び前記ＴＤＤフレーム構造と共通性を有するＦＤＤフレーム構造を示す図である。図１５において、ＳＦＴ-３タイプサブフレームを除いた残りのサブフレームは、ＳＦＴ-１タイプサブフレームである。
【０１２８】
図１５を参照すると、本実施例の第１のＴＤＤフレーム構造において、ＤＬ/ＵＬ比率が４:４であり、ＣＰの長さが１/１６Ｔｕである。この構造は、図９のＣＰの長さが１/１６Ｔｕであるフレーム構造と同一である。従って、ＤＬ区間は、１個のＳＦＴ-３サブフレーム及び３個のＳＦＴ-１サブフレームで構成されて、ＵＬ区間は、１個のＳＦＴ-３サブフレーム及び３個のＳＦＴ-１サブフレームで構成される。ここで、ＵＬ区間とＤＬ区間内のサブフレームタイプの配置には制約をおかない。
【０１２９】
本実施例の第２のＴＤＤフレーム構造において、ＤＬ/ＵＬ比率が５:３であり、ＣＰの長さが１/１６Ｔｕである。この構造は、図１０のＣＰの長さが１/１６Ｔｕであるフレーム構造と同一である。従って、ＤＬ区間は、１個のＳＦＴ-３サブフレーム及び４個のＳＦＴ-１サブフレームで構成されて、ＵＬ区間は、１個のＳＦＴ-３サブフレーム及び２個のＳＦＴ-１サブフレームで構成される。ここで、ＵＬ区間とＤＬ区間内のサブフレームタイプの配置には制約をおかない。
【０１３０】
本実施例の第３のＴＤＤフレーム構造において、ＤＬ/ＵＬ比率が６:２であり、ＣＰの長さが１/１６Ｔｕである。この構造は、図１１のＣＰの長さが１/１６Ｔｕであるフレーム構造と同一である。従って、ＤＬ区間は、１個のＳＦＴ-３サブフレーム及び５個のＳＦＴ-１サブフレームで構成されて、ＵＬ区間は、１個のＳＦＴ-３サブフレーム及び１個のＳＦＴ-１サブフレームで構成される。ここで、ＵＬ区間とＤＬ区間内のサブフレームタイプの配置には制約をおかない。
【０１３１】
本実施例の第４のＴＤＤフレーム構造において、ＤＬ/ＵＬ比率が７:１であり、ＣＰの長さが１/１６Ｔｕである。この構造は、図１２のＣＰの長さが１/１６Ｔｕであるフレーム構造と同一である。
【０１３２】
従って、ＤＬ区間は、１個のＳＦＴ-３サブフレーム及び６個のＳＦＴ-１サブフレームで構成されて、ＵＬ区間は、１個のＳＦＴ-３サブフレームで構成される。ここで、ＵＬ区間とＤＬ区間内のサブフレームタイプの配置には制約をおかない。
【０１３３】
ＴＤＤフレームを前述したように構成する場合、ＣＰの長さが１/８Ｔｕであるフレーム構造とＤＬ/ＵＬスイッチング区間を一致させて、隣接セルに１/８ＴｕのＣＰの長さを有するシステムが存在する場合にもダウンリンクとアップリンク送信間の干渉を最小化することができる。
【０１３４】
ＤＬ/ＵＬ比率に関係なく、ＤＬ区間は、１個のＳＦＴ-３タイプのサブフレームを含む。図１５において、ＤＬ区間の最初のサブフレーム(＃１)をＳＦＴ-３タイプのサブフレームで構成しているが、これは例示に過ぎない。即ち、ＤＬ/ＵＬ比率が４:４の場合、ＳＦＴ-３タイプのサブフレームは、＃１、＃２、＃３及び＃４のうち一つに位置することができて、ＤＬ/ＵＬ比率が５:３の場合、ＳＦＴ-３タイプのサブフレームは、＃１、＃２、＃３、＃４及び＃５のうち一つに位置することができて、ＤＬ/ＵＬ比率が６:２の場合、ＳＦＴ-３タイプのサブフレームは、＃１、＃２、＃３、＃４、＃５及び＃６のうち一つに位置することができて、ＤＬ/ＵＬ比率が７:１の場合、ＳＦＴ-３タイプのサブフレームは、＃１、＃２、＃３、＃４、＃５、＃６及び＃７のうち一つに位置することができる。
【０１３５】
また、ＤＬ/ＵＬ比率に関係なく、ＤＬ区間は、１個のＳＦＴ-３タイプのサブフレームを含む。図１５において、ＵＬ区間の最後のサブフレーム(＃８)をＳＦＴ-３タイプのサブフレームで構成しているが、これは例示に過ぎない。
【０１３６】
即ち、ＤＬ/ＵＬ比率が４:４の場合、ＳＦＴ-３タイプのサブフレームは、＃５、＃６、＃７及び＃８のうち一つに位置することができて、ＤＬ/ＵＬ比率が５:３の場合、ＳＦＴ-３タイプのサブフレームは、＃６、＃７及び＃８のうち一つに位置することができて、ＤＬ/ＵＬ比率が６:２の場合、ＳＦＴ-３タイプのサブフレームは、＃７及び＃８のうち一つに位置することができて、ＤＬ/ＵＬ比率が７:１の場合、ＳＦＴ-３タイプのサブフレームは、＃８に位置することができる。
【０１３７】
次にＦＤＤフレーム構造を記述すると、ＦＤＤフレームは、一つのピボットサブフレームを含む。図１５のように、前記ピボットサブフレームは、ＳＦＴ-３タイプのサブフレームであってもよい。また、前記ピボットサブフレームは、ＴＤＤフレームのＴＴＧ区間と対応する位置に位置することができる。即ち、ＤＬ/ＵＬ比率が４:４の場合、ＴＤＤフレーム内のＴＴＧ区間は、＃４と＃５との間に位置するため、ＦＤＤフレーム内のピボットサブフレームは、＃４または＃５に位置することができる。ＤＬ/ＵＬ比率が５:３の場合、ＴＤＤフレーム内のＴＴＧ区間は、＃５と＃６との間に位置するため、ＦＤＤフレーム内のピボットサブフレームは、＃５または＃６に位置することができる。また、ＤＬ/ＵＬ比率が６:２の場合、ＴＤＤフレーム内のＴＴＧ区間は、＃６と＃７との間に位置するため、ＦＤＤフレーム内のピボットサブフレームは、＃６または＃７に位置することができる。また、ＤＬ/ＵＬ比率が７:１の場合、ＴＤＤフレーム内のＴＴＧ区間は、＃７と＃８との間に位置するため、ＦＤＤフレーム内のピボットサブフレームは、＃７または＃８に位置することができる。ただし、ＵＬ区間は、一つのＳＦＴ-３タイプのサブフレームを含むため、ＤＬ/ＵＬ比率が７:１の場合、ピボットサブフレームの位置は、＃７であることが望ましい。
【０１３８】
ＴＤＤフレームと共通性を維持するために前記ピボットサブフレームより前方位置に１個のＳＦＴ-３タイプのサブフレームを位置するようにして、前記ピボットサブフレームの後方に１個のＳＦＴ-３タイプのサブフレームを位置するようにする。即ち、ＤＬ/ＵＬ比率が４:４の場合、ピボットサブフレームを除いたＳＦＴ-３タイプのサブフレームは、ピボットサブフレームが＃４に位置する場合、＃１、＃２及び＃３のうち一つと＃５、＃６、＃７及び＃８のうち一つに位置することができ、またはピボットサブフレームが＃５に位置する場合、＃１、＃２、＃３及び＃４のうち一つと＃６、＃７及び＃８のうち一つに位置することができる。ＤＬ/ＵＬ比率が５:３の場合、ピボットサブフレームを除いたＳＦＴ-３タイプのサブフレームは、ピボットサブフレームが＃５に位置する場合、＃１、＃２、＃３及び＃４のうち一つ(望ましくは＃１)と＃６、＃７及び＃８のうち一つ(望ましくは＃８)に位置することができ、またはピボットサブフレームが＃６に位置する場合、＃１、＃２、＃３、＃４及び＃５のうち一つと＃７及び＃８のうち一つに位置することができる。ＤＬ/ＵＬ比率が６:２の場合、ピボットサブフレームを除いたＳＦＴ-３タイプのサブフレームは、ピボットサブフレームが＃６に位置する場合、＃１、＃２、＃３、＃４及び＃５のうち一つと＃７及び＃８のうち一つに位置することができ、またはピボットサブフレームが＃７に位置する場合、＃１、＃２、＃３、＃４、＃５及び＃６のうち一つと＃８に位置することができる。ＤＬ/ＵＬ比率が７:１の場合、ピボットサブフレームを除いたＳＦＴ-３タイプのサブフレームは、ピボットサブフレームが＃７に位置する場合、＃１、＃２、＃３、＃４、＃５及び＃６のうち一つと＃８に位置することができる。
【０１３９】
図１５において、ピボットサブフレームがサブフレーム＃４、＃５、＃６及び＃７に位置しているが、これは例示に過ぎない。ピボットサブフレームを異なる位置に有する他のＦＤＤフレームが同一に考慮されることができる。
【０１４０】
図１６は、本発明の一実施例に応じてＣＰの長さが１/３２ＴｕであるＴＤＤフレーム構造及び前記ＴＤＤフレーム構造と共通性を有するＦＤＤフレーム構造を示す図である。図１６において、ＳＦＴ-３タイプのサブフレームを除いた残りのサブフレームは、ＳＦＴ-１タイプのサブフレームである。
【０１４１】
図１６を参照すると、本実施例の第１のＴＤＤフレーム構造において、ＤＬ/ＵＬ比率が４:４であり、ＣＰの長さが１/３２Ｔｕである。全体フレーム長さが５ｍｓであり、フレームの開始地点から１/３２ＴｕのＣＰの長さを有する２６個のＯＦＤＭシンボルを含む２４５０.７６μｓ地点まではＤＬ区間に設定されて、２４５０.７６μｓ地点から表２のＴＴＧ区間アイドル時間の一部に該当する３８.４８μｓ区間を含む２４８９.２４μｓ地点まではＴＴＧ区間に設定されて、２４８９.２４μｓ地点から１/３２ＴｕのＣＰの長さを有する２６個のＯＦＤＭシンボルを含む４９４０μｓ地点まではＵＬ区間に設定されて、４９４０μｓ地点から表２のＲＴＧ区間に該当する６０μｓ区間を含むフレームの最後の地点まではＲＴＧ区間に設定される。
【０１４２】
従って、ＤＬ区間は、２個のＳＦＴ-３サブフレーム及び２個のＳＦＴ-１サブフレームで構成されて、ＵＬ区間は、２個のＳＦＴ-３サブフレーム及び２個のＳＦＴ-１サブフレームで構成される。ここで、ＵＬ区間とＤＬ区間内でサブフレームタイプの配置には制約をおかない。
【０１４３】
本実施例の第２のＴＤＤフレーム構造において、ＤＬ/ＵＬ比率が５:３であり、ＣＰの長さが１/３２Ｔｕである。この構造は、図１０のＣＰの長さが１/３２Ｔｕであるフレーム構造と同一である。従って、ＤＬ区間は、２個のＳＦＴ-３サブフレーム及び３個のＳＦＴ-１サブフレームで構成されて、ＵＬ区間は、２個のＳＦＴ-３サブフレーム及び１個のＳＦＴ-１サブフレームで構成される。ここで、ＵＬ区間とＤＬ区間内でサブフレームタイプの配置には制約をおかない。
【０１４４】
本実施例の第３のＴＤＤフレーム構造において、ＤＬ/ＵＬ比率が６:２であり、ＣＰの長さが１/３２Ｔｕである。この構造は、図１１のＣＰの長さが１/３２Ｔｕであるフレーム構造と同一である。従って、ＤＬ区間は、２個のＳＦＴ-３サブフレーム及び４個のＳＦＴ-１サブフレームで構成されて、ＵＬ区間は、２個のＳＦＴ-３サブフレームで構成される。ここで、ＵＬ区間とＤＬ区間内でサブフレームタイプの配置には制約をおかない。
【０１４５】
本実施例の第４のＴＤＤフレーム構造において、ＤＬ/ＵＬ比率が７:１であり、ＣＰの長さが１/３２Ｔｕである。この構造は、図１２のＣＰの長さが１/３２Ｔｕであるフレーム構造と同一である。従って、ＤＬ区間は、３個のＳＦＴ-３サブフレーム及び４個のＳＦＴ-１サブフレームで構成されて、ＵＬ区間は、１個のＳＦＴ-３サブフレームで構成される。ここで、ＵＬ区間とＤＬ区間内でサブフレームタイプの配置には制約をおかない。
【０１４６】
ＴＤＤフレームを前述したように構成する場合、ＣＰの長さが１/８Ｔｕであるフレーム構造とＤＬ/ＵＬスイッチング区間を一致させて、隣接セルに１/８ＴｕのＣＰの長さを有するシステムが存在する場合にもダウンリンクとアップリンク送信間の干渉を最小化することができる。
【０１４７】
ＤＬ区間は、複数のＳＦＴ-３タイプのサブフレームを含む。ＤＬ/ＵＬ比率が４:４の場合、ＳＦＴ-３タイプのサブフレームは、＃１、＃２、＃３及び＃４のうち二つに位置することができて、ＤＬ/ＵＬ比率が５:３の場合、ＳＦＴ-３タイプのサブフレームは、＃１、＃２、＃３、＃４及び＃５のうち二つに位置することができて、ＤＬ/ＵＬ比率が６:２の場合、ＳＦＴ-３タイプのサブフレームは、＃１、＃２、＃３、＃４、＃５及び＃６のうち二つに位置することができて、ＤＬ/ＵＬ比率が７:１の場合、ＳＦＴ-３タイプのサブフレームは、＃１、＃２、＃３、＃４、＃５、＃６及び＃７のうち三つに位置することができる。
【０１４８】
また、ＵＬ区間は、複数のＳＦＴ-３タイプのサブフレームを含む。ＤＬ/ＵＬ比率が４:４の場合、ＳＦＴ-３タイプのサブフレームは、＃５、＃６、＃７及び＃８のうち二つに位置することができて、ＤＬ/ＵＬ比率が５:３の場合、ＳＦＴ-３タイプのサブフレームは、＃６、＃７及び＃８のうち二つに位置することができて、ＤＬ/ＵＬ比率が６:２の場合、ＳＦＴ-３タイプのサブフレームは、＃７と＃８に位置することができて、ＤＬ/ＵＬ比率が７:１の場合、ＳＦＴ-３タイプのサブフレームは、＃８に位置することができる。
【０１４９】
ただし、ＴＴＧ区間が３８.４８μｓより長い区間を要求する場合、ＴＴＧ区間に２個のＯＦＤＭシンボルを割り当てることができる。例えば、ＵＬ区間のＯＦＤＭシンボルのうち一つをＴＴＧ区間のためにさらに割り当て、ＴＴＧ区間を１３２.７４μｓにしてもよい。ここで、ＤＬ/ＵＬ比率が４:４の場合、ＳＦＴ-３タイプのサブフレームは、＃１、＃２、＃３及び＃４のうち二つと＃５、＃６、＃７及び＃８のうち一つに位置することができて、ＤＬ/ＵＬ比率が５:３の場合、ＳＦＴ-３タイプのサブフレームは、＃１、＃２、＃３、＃４及び＃５のうち二つと＃６、＃７及び＃８のうち一つに位置することができて、ＤＬ/ＵＬ比率が６:２の場合、ＳＦＴ-３タイプのサブフレームは、＃１、＃２、＃３、＃４、＃５及び＃６のうち二つと＃７及び＃８のうち一つに位置することができる。ＤＬ/ＵＬ比率が７:１の場合、ＳＦＴ-３タイプのサブフレームは、＃１、＃２、＃３、＃４、＃５、＃６及び＃７のうち二つと＃８に位置することができる。
【０１５０】
次に、ＦＤＤフレーム構造を記述すると、ＦＤＤフレームは、一つのピボットサブフレームを含む。図１６のように、前記ピボットサブフレームは、ＳＦＴ-３タイプのサブフレームであってもよい。また、前記ピボットサブフレームは、ＴＤＤフレームのＴＴＧ区間に対応する位置に位置することができる。即ち、ＤＬ/ＵＬ比率が４:４の場合、ＴＤＤフレーム内のＴＴＧ区間は、＃４と＃５との間に位置するため、ＦＤＤフレーム内のピボットサブフレームは、＃４または＃５に位置することができる。また、ＤＬ/ＵＬ比率が５:３の場合、ＴＤＤフレーム内のＴＴＧ区間は、＃５と＃６との間に位置するため、ＦＤＤフレーム内のピボットサブフレームは、＃５または＃６に位置することができる。また、ＤＬ/ＵＬ比率が６:２の場合、ＴＤＤフレーム内のＴＴＧ区間は、＃６と＃７との間に位置するため、ＦＤＤフレーム内のピボットサブフレームは、＃６または＃７に位置することができる。ただし、ＵＬ区間は、２個のＳＦＴ-３タイプのサブフレームを含むため、ピボットサブフレームの位置は、＃６であることが望ましい。また、ＤＬ/ＵＬ比率が７:１の場合、ＴＤＤフレーム内のＴＴＧ区間は、＃７と＃８との間に位置するため、ＦＤＤフレーム内のピボットサブフレームは、＃７または＃８に位置することができる。ただし、ＵＬ区間は、一つのＳＦＴ-３タイプのサブフレームを含むため、ピボットサブフレームの位置は、＃７であることが望ましい。
【０１５１】
ＴＤＤフレームと共通性を維持するために前記ピボットサブフレームより前方位置に２個のＳＦＴ-３タイプのサブフレームを位置するようにして、前記ピボットサブフレームの後方に２個のＳＦＴ-３タイプのサブフレームを位置するようにする。即ち、ＤＬ/ＵＬ比率が４:４の場合、ピボットサブフレームを除いたＳＦＴ-３タイプのサブフレームは、ピボットサブフレームが＃４に位置する場合、＃１、＃２及び＃３のうち二つと＃５、＃６、＃７及び＃８のうち二つに位置することができ、またはピボットサブフレームが＃５に位置する場合、＃１、＃２、＃３及び＃４のうち二つと＃６、＃７及び＃８のうち二つに位置することができて、ＤＬ/ＵＬ比率が５:３の場合、ピボットサブフレームを除いたＳＦＴ-３タイプのサブフレームは、ピボットサブフレームが＃５に位置する場合、＃１、＃２、＃３及び＃４のうち二つと＃６、＃７及び＃８のうち二つに位置することができ、またはピボットサブフレームが＃６に位置する場合、＃１、＃２、＃３、＃４及び＃５のうち二つと＃７及び＃８に位置することができて、ＤＬ/ＵＬ比率が６:２の場合、ピボットサブフレームを除いたＳＦＴ-３タイプのサブフレームは、ピボットサブフレームが＃６に位置する場合、＃１、＃２、＃３、＃４及び＃５のうち二つと＃７及び＃８に位置することができ、またはピボットサブフレームが＃７に位置する場合、＃１、＃２、＃３、＃４、＃５及び＃６のうち三つと＃８に位置することができて、ＤＬ/ＵＬ比率が７:１の場合、ピボットサブフレームを除いたＳＦＴ-３タイプのサブフレームは、ピボットサブフレームが＃７に位置する場合、＃１、＃２、＃３、＃４、＃５及び＃６のうち３個と＃８に位置することができ、またはピボットサブフレームが＃８に位置する場合、＃１、＃２、＃３、＃４、＃５、＃６及び＃７のうち四つに位置することができる。
【０１５２】
図１６において、ピボットサブフレームがサブフレーム＃４、＃５、＃６及び＃７に位置しているが、これは例示に過ぎない。ピボットサブフレームを異なる位置に有する他のＦＤＤフレームが同一に考慮されることができる。
【０１５３】
図１３乃至図１６のようにＴＤＤフレーム構造を構成すると、相違するＣＰの長さを有するフレーム構造が隣接セルに共存する場合にも相互干渉がおきないようになる。即ち、ＣＰの長さが１/８ＴｕであるフレームのＤＬ区間とＣＰの長さが１/４Ｔｕ、１/１６Ｔｕまたは１/３２ＴｕであるフレームのＵＬ区間が重ならず、ＣＰの長さが１/８ＴｕであるフレームのＵＬ区間とＣＰの長さが１/４Ｔｕ、１/１６Ｔｕまたは１/３２ＴｕであるフレームのＤＬ区間が重ならないため、相互干渉がおきない。
【０１５４】
また、図１３乃至図１６のようにＦＤＤフレーム構造を構成すると、前記ＴＤＤフレームと共通性を有するため、ＴＤＤ方式のシステムで使われるアルゴリズムやリソースの割当方法など関連通信アルゴリズムをＦＤＤ方式のシステムで再使用することができる。
【０１５５】
下記の表４は、図１３乃至図１６の特徴を要約して、本発明の一実施例に係るＴＤＤフレーム構造の特徴を示す。
【０１５６】
【表４】
0005451642.tif 000005
【０１５７】
下記の表５は、図１３乃至図１６の特徴を要約して、本発明の一実施例に応じてＣＰの長さが１/４Ｔｕであり、基本サブフレームをＳＦＴ-２タイプのサブフレームで構成する場合のＴＤＤフレームの特徴を示す。
【０１５８】
【表５】
0005451642.tif 000006
【０１５９】
下記の表６は、図１３乃至図１６の特徴を要約して、本発明の一実施例に応じてＣＰの長さが１/３２Ｔｕであり、ＴＴＧ区間に２個のＯＦＤＭシンボルを割り当てた場合のＴＤＤフレームの特徴を示す。
【０１６０】
【表６】
0005451642.tif 000007
【０１６１】
下記の表７は、図１３乃至図１６の特徴を要約して、本発明の一実施例に係るＦＤＤフレーム構造の特徴を整理した表である。
【０１６２】
【表７】
0005451642.tif 000008
【０１６３】
下記の表８は、図１３乃至図１６の追加的な特徴を要約して、本発明の一実施例に応じてＣＰの長さが１/４Ｔｕであり、基本サブフレームをＳＦＴ-２タイプのサブフレームで構成する場合のＦＤＤフレームの特徴を示す。
【０１６４】
【表８】
0005451642.tif 000009
【０１６５】
下記の表９は、図１３乃至図１６の追加的な特徴を要約して、本発明の一実施例に応じてＣＰの長さが１/３２Ｔｕであり、ＴＴＧ区間に２個のＯＦＤＭシンボルを割り当てた場合のＦＤＤフレームの特徴を整理した表である。
【０１６６】
【表９】
0005451642.tif 000010
【０１６７】
図１７は、前述した実施例に使われる無線通信装置を示すブロック図である。無線装置(５０)は、端末の一部であることができる。無線装置(５０)は、プロセッサ(５１)、メモリ(５２)、ＲＦ部(５３)、ディスプレー部(５４)、ユーザインターフェース部(５５)を含む。プロセッサ(５１)は、フレームで少なくとも一つのサブフレームを設定する。フレームは、前述した方式によって構成されることができる。メモリ(５２)は、プロセッサ(５１)と連結されて、フレーム内のサブフレームを設定するための多様な情報を格納する。ディスプレー部(５４)は、端末の多様な情報を表示して、ＬＣＤ(Liquid Crystal Display)、ＯＬＥＤ(Organic Light Emitting Diodes)等、よく知られた要素を使用することができる。ユーザインターフェース部(５５)は、キーパッドやタッチスクリーンなどよく知られたユーザインターフェースの組合せからなることができる。ＲＦ部(５３)は、プロセッサと連結されて、フレーム内のサブフレームを送信及び/または受信する。
【０１６８】
本発明によると、ＩＥＥＥ８０２.１６ｍ形式をサポートする多様なＣＰの長さを有するフレーム構造が隣接セルで共存する時、データ送信時の相互干渉を緩和させることができる。
【０１６９】
また、ＴＤＤフレームと共通性を有するＦＤＤフレーム構造を提供してＴＤＤシステムで使われるアルゴリズムやリソースの割当方法など関連通信アルゴリズムをＦＤＤシステムで再使用することができる。
【０１７０】
本発明は、ハードウェア、ソフトウェアまたはこれらの組合せで具現されることができる。ハードウェア具現において、前述した機能を遂行するためにデザインされたＡＳＩＣ(application specific integrated circuit)、ＤＳＰ(digital signal processing)、ＰＬＤ(programmable logic device)、ＦＰＧＡ(field programmable gate array)、プロセッサ、制御機、マイクロ・プロセッサ、他の電子ユニットまたはこれらの組合せで具現されることができる。ソフトウェア具現において、前述した機能を遂行するモジュールで具現されることができる。ソフトウェアは、メモリユニットに格納されることができて、プロセッサによって実行される。メモリユニットやプロセッサは、当業者によく知られた多様な手段を採用することができる。
【０１７１】
以上、本発明の望ましい実施例に対して詳細に記述したが、本発明が属する技術分野において通常の知識を有する者であれば、添付の請求範囲に定義された本発明の精神及び範囲を外れない限り、本発明を多様に変形または、変更して実施できることが分かる。従って、本発明の今後の実施例の変更は、本発明の技術を外れることができない。
【図１】
0005451642.tif 000011
【図２】
0005451642.tif 000012
【図３】
0005451642.tif 000013
【図４】
0005451642.tif 000014
【図５】
0005451642.tif 000015
【図６】
0005451642.tif 000016
【図７】
0005451642.tif 000017
【図８】
0005451642.tif 000018
【図９】
0005451642.tif 000019
【図１０】
0005451642.tif 000020
【図１１】
0005451642.tif 000021
【図１２】
0005451642.tif 000022
【図１３】
0005451642.tif 000023
【図１４】
0005451642.tif 000024
【図１５】
0005451642.tif 000025
【図１６】
0005451642.tif 000026
【図１７】
0005451642.tif 000027